(57)【特許請求の範囲】
【請求項１】
撮影空間にいる利用者を被写体として撮影することによって取得された撮影画像に対して、前記利用者による入力に応じて編集を施し、編集が施された前記撮影画像をシール紙に印刷する写真シール作成装置において、
前記利用者を被写体として、前記利用者の略胸から上の範囲が大きく写る画像であるアップ画像と前記利用者の全身が写る画像である全身画像を含む複数の前記撮影画像の撮影を行う場合の、前記アップ画像の撮影時、前記撮影空間の第１の側面パネルと第２の側面パネルが含まれないように撮影を行い、撮影によって得られた画像からトリミングにより切り出した第１の矩形領域の動画を表示し、その後、前記第１の矩形領域の静止画を前記アップ画像として生成するとともに、前記全身画像の撮影時、前記撮影空間の前記第１の側面パネルと前記第２の側面パネルの一部が含まれるように撮影を行い、撮影によって得られた画像から、前記第１の側面パネルと前記第２の側面パネルの一部が含まれるようにトリミングにより切り出した第２の矩形領域の動画を表示し、その後、前記第２の矩形領域の静止画を前記全身画像として生成する撮影部を備え、
前記撮影空間が、
前記利用者の背面に設けられた背面パネルと、
前記背面パネルの両端にそれぞれ設けられた前記第１の側面パネルおよび前記第２の側面パネルと、
前記第１の側面パネルの隣に形成された第１の出入口の上部に設けられ、前記第１の側面パネルに固定される第１の連結部と、
前記第１の出入口を覆うように前記第１の連結部に取り付けられた第１のカーテンと、
前記第２の側面パネルの隣に形成された第２の出入口の上部に設けられ、前記第２の側面パネルに固定される第２の連結部と、
前記第２の出入口を覆うように前記第２の連結部に取り付けられた第２のカーテンと
によって囲まれる空間であり、
前記第１の側面パネルおよび前記第２の側面パネルの下方の領域の色が緑色であり、
前記第１の連結部、前記第１のカーテン、前記第２の連結部、および前記第２のカーテンの内側が、黒色であり、
前記撮影部による撮影時に発光するストロボとして、
前記背面パネルと離して、前記第１の連結部の、前記第１の出入口の背面寄りの上方と前記第１の側面パネルの正面寄りの上方に跨がる位置に取り付けられた、前記利用者を斜め上から照射する第１のストロボと、
前記第１のストロボと対向する前記第２の連結部の位置に取り付けられた、前記利用者を斜め上から照射する第２のストロボと
を有する
写真シール作成装置。
【請求項２】
前記第１の側面パネルおよび前記第２の側面パネルの上方の領域の色は緑色以外の色である
請求項１に記載の写真シール作成装置。
【請求項３】
前記下方の領域は、それぞれの側面パネルの下方の略2/3の領域であり、
前記上方の領域は、それぞれの側面パネルの上方の略1/3の領域である
請求項２に記載の写真シール作成装置。
【請求項４】
緑色以外の前記色は黒色である
請求項２または３に記載の写真シール作成装置。
【請求項５】
前記撮影部は、前記アップ画像の撮影と前記全身画像の撮影とをそれぞれチルト角を変えて行う
請求項１乃至４のいずれかに記載の写真シール作成装置。
【請求項６】
カムの回動を制御することによって前記チルト角を調整する駆動部をさらに備える
請求項５に記載の写真シール作成装置。
【請求項７】
前記第１のストロボと前記第２のストロボのそれぞれの発光面の形状は、横方向の長さが縦方向の長さより長い形状である
請求項１乃至６のいずれかに記載の写真シール作成装置。
【発明の詳細な説明】
【技術分野】
【０００１】
本技術は、写真シール作成装置に関し、特に、混色を防ぐことができるようにした写真シール作成装置に関する。
【背景技術】
【０００２】
従来、写真シール作成装置が知られている。写真シール作成装置は、利用者を撮影し、撮影画像に対して利用者に編集を行わせ、編集後の画像をシール紙に印刷して提供するものである。写真シール作成装置は遊戯施設などに設置される。
【０００３】
写真シール作成装置が提供する１ゲームの流れは、通常、撮影空間内にいる利用者を被写体として撮影を行った後、利用者を編集空間に移動させ、編集空間内で行われる操作に従って画像を編集して、編集済みの画像をシール紙に印刷するものとなる。編集時、編集空間内に設けられるモニタに表示される編集画面には、例えば２人の利用者が並行して編集を行うことができるようにするために、編集に用いるツールの選択ボタンとともに、編集対象の撮影画像が左右に並べて表示される。
【０００４】
特許文献１には、編集対象の写真画像が縦長の長方形であるか、正方形であるかに応じて、編集画面に表示させるツールの選択ボタンの配置を変更し、編集対象の写真画像を大きく表示させる技術が記載されている。
【０００５】
特許文献２には、利用者の顔が大きく写る画像と利用者の上半身が写る画像を撮影し、編集画面に、前者の横長長方形の画像と後者の縦長長方形の画像を編集対象の画像として表示する技術が記載されている。
【０００６】
特許文献３には、利用者の略胸から上の範囲が写る画像と利用者の全身が写る画像を撮影し、編集画面に、それらの画像を縦方向の長さを揃えて表示する技術が記載されている。
【先行技術文献】
【特許文献】
【０００７】
【特許文献１】特開２０１０−１７７９８７号公報
【特許文献２】特開２００２−３１４９０９号公報
【特許文献３】特開２００８−１５８３８９号公報
【発明の概要】
【発明が解決しようとする課題】
【０００８】
クロマキー処理によって利用者の領域を抽出する場合、鮮やかな緑色などの特殊な色の領域が、クロマキー処理の対象となる画像に写っている必要がある。クロマキー処理においては、特殊な色の領域以外の領域が、利用者の領域として抽出される。
【０００９】
撮影空間の内側全体を特殊な色で着色した場合、撮影時に様々な方向からフラッシュ光を照射するようになされていることから、撮影空間の内側で反射したフラッシュ光が利用者を照射することにより、撮影した画像において、特殊な色が利用者の領域の色に混ざり込むことがある。
【００１０】
本技術はこのような状況に鑑みてなされたものであり、混色を防ぐことができるようにするものである。
【課題を解決するための手段】
【００１１】
本技術の一側面の写真シール作成装置は、撮影空間にいる利用者を被写体として撮影することによって取得された撮影画像に対して、前記利用者による入力に応じて編集を施し、編集が施された前記撮影画像をシール紙に印刷する写真シール作成装置において、前記利用者を被写体として、前記利用者の略胸から上の範囲が大きく写る画像であるアップ画像と前記利用者の全身が写る画像である全身画像を含む複数の前記撮影画像の撮影を行う場合の、前記アップ画像の撮影時、前記撮影空間の第１の側面パネルと第２の側面パネルが含まれないように撮影を行い、撮影によって得られた画像からトリミングにより切り出した第１の矩形領域の動画を表示し、その後、前記第１の矩形領域の静止画を前記アップ画像として生成するとともに、前記全身画像の撮影時、前記撮影空間の前記第１の側面パネルと前記第２の側面パネルの一部が含まれるように撮影を行い、撮影によって得られた画像から、前記第１の側面パネルと前記第２の側面パネルの一部が含まれるようにトリミングにより切り出した第２の矩形領域の動画を表示し、その後、前記第２の矩形領域の静止画を前記全身画像として生成する撮影部を備える。また、前記撮影空間が、前記利用者の背面に設けられた背面パネルと、前記背面パネルの両端にそれぞれ設けられた前記第１の側面パネルおよび前記第２の側面パネルと、前記第１の側面パネルの隣に形成された第１の出入口の上部に設けられ、前記第１の側面パネルに固定される第１の連結部と、前記第１の出入口を覆うように前記第１の連結部に取り付けられた第１のカーテンと、前記第２の側面パネルの隣に形成された第２の出入口の上部に設けられ、前記第２の側面パネルに固定される第２の連結部と、前記第２の出入口を覆うように前記第２の連結部に取り付けられた第２のカーテンとによって囲まれる空間であり、前記第１の側面パネルおよび前記第２の側面パネルの下方の領域の色が緑色であり、前記第１の連結部、前記第１のカーテン、前記第２の連結部、および前記第２のカーテンの内側が、黒色である。前記撮影部による撮影時に発光するストロボとして、前記背面パネルと離して、前記第１の連結部の、前記第１の出入口の背面寄りの上方と前記第１の側面パネルの正面寄りの上方に跨がる位置に取り付けられた、前記利用者を斜め上から照射する第１のストロボと、前記第１のストロボと対向する前記第２の連結部の位置に取り付けられた、前記利用者を斜め上から照射する第２のストロボとが設けられる。
【００１２】
本技術の一側面においては、前記第１の連結部、前記第１のカーテン、前記第２の連結部、および前記第２のカーテンの内側が、黒色とされる。
【発明の効果】
【００１３】
本技術によれば、混色を防ぐことができる。
【図面の簡単な説明】
【００１４】
【図１】本技術の一実施の形態に係る写真シール作成装置の外観の構成例を示す斜視図である。
【図２】写真シール作成装置の外観を他の角度からみた斜視図である。
【図３】利用者の移動について説明する図である。
【図４】事前選択部の構成例を示す正面図である。
【図５】撮影部の構成例を示す斜視図である。
【図６】撮影部を示す正面図である。
【図７】撮影・表示ユニットが下にある状態の断面図である。
【図８】撮影部を示す他の正面図である。
【図９】撮影・表示ユニットが上にある状態の断面図である。
【図１０】撮影空間内の背景側の構成例を示す図である。
【図１１】撮影空間内の一方の側面側の構成例を示す図である。
【図１２】撮影空間内の他方の側面側の構成例を示す図である。
【図１３】編集装置の構成例を示す図である。
【図１４】編集画像が印刷されたシール紙の例を示す図である。
【図１５】編集画像のレイヤ構造の例を示す図である。
【図１６】写真シール作成装置の内部の構成例を示すブロック図である。
【図１７】制御部の機能構成例を示すブロック図である。
【図１８】図１７の撮影処理部の構成例を示すブロック図である。
【図１９】図１７の編集処理部の構成例を示すブロック図である。
【図２０】写真シール作成処理について説明するフローチャートである。
【図２１】図２０のステップＳ１において行われる事前選択処理について説明するフローチャートである。
【図２２】全身撮影枚数選択画面の例を示す図である。
【図２３】全身撮影種類選択画面の例を示す図である。
【図２４】全身撮影種類選択画面の例を示す図である。
【図２５】全身撮影種類選択画面の例を示す図である。
【図２６】全身撮影種類選択画面の例を示す図である。
【図２７】図２０のステップＳ２において行われる撮影処理について説明するフローチャートである。
【図２８】アップ撮影時のトリミングの例を示す図である。
【図２９】アップ撮影時のライブビュー表示画面の例を示す図である。
【図３０】上から全身撮影時のトリミングの例を示す図である。
【図３１】上から全身撮影時のライブビュー表示画面の例を示す図である。
【図３２】正面全身撮影時のトリミングの例を示す図である。
【図３３】正面全身撮影時のライブビュー表示画面の例を示す図である。
【図３４】アップ撮影時のライブビュー表示画面の例を示す図である。
【図３５】携帯送信専用画像の撮影時のライブビュー表示画面の例を示す図である。
【図３６】画像の縦横比の違いを示す図である。
【図３７】図２０のステップＳ３において行われる編集処理について説明するフローチャートである。
【図３８】編集画面の例を示す図である。
【図３９】図３８の一部の領域の拡大図である。
【図４０】編集画面の例を示す図である。
【図４１】編集画面の例を示す図である。
【図４２】分割数選択画面の例を示す図である。
【図４３】撮影画像の種類の組み合わせを示す図である。
【図４４】編集画像が印刷されたシール紙の例を示す図である。
【図４５】編集画像が印刷されたシール紙の例を示す図である。
【図４６】印刷の状態を示す図である。
【図４７】支柱の拡大図である。
【図４８】支柱の内部の構成例を示す図である。
【図４９】支柱の内部の構成例を示す図である。
【図５０】支柱の内部の構成例を背面から示す図である。
【図５１】撮影・表示ユニットと支柱の内部の構成を示す断面図である。
【図５２】撮影・表示ユニットの内部の構成を示す図である。
【図５３】カムの回動の状態を示す図である。
【図５４】編集処理部の構成例を示すブロック図である。
【図５５】キャプチャした編集画面の例を示す図である。
【図５６】遷移画像の例を示す図である。
【図５７】遷移画像の表示例を示す図である。
【図５８】遷移画像の他の例を示す図である。
【図５９】編集画面表示処理について説明するフローチャートである。
【図６０】編集対象画像の切り替え処理について説明するフローチャートである。
【図６１】切り取りの対象となる領域の例を示す図である。
【図６２】遷移画像の例を示す図である。
【図６３】切り取りの対象となる領域の他の例を示す図である。
【図６４】編集画面の例を示す図である。
【図６５】切り取り画像の表示の例を示す図である。
【発明を実施するための形態】
【００１５】
＜＜写真シール作成装置の外観構成＞＞
＜全体の構成＞
図１および図２は、写真シール作成装置１の外観の構成例を示す斜視図である。
【００１６】
写真シール作成装置１は、撮影や編集等の作業を利用者にゲームとして行わせ、画像を提供するゲーム機である。画像の提供は、シール紙に印刷した形で行われるだけでなく、サーバに送信した画像を利用者の携帯端末上で閲覧可能にする形で行われることもある。
写真シール作成装置１はゲームセンターなどの店舗に設置される。
【００１７】
写真シール作成装置１で遊ぶ利用者は、自身が被写体となって撮影を行い、撮影によって得られた撮影画像に手書きの文字やスタンプ画像などの合成用画像を合成させるなどして、撮影画像を彩り豊かな画像に編集する。利用者は、編集済みの撮影画像である編集画像が印刷されたシール紙を受け取って一連のゲームを終了させる。写真シール作成装置１の利用者は、主に、２人、３人等の複数人からなる利用者のグループである。
【００１８】
写真シール作成装置１は、基本的に、人が中に入ることができる程度の大きさを有する箱形状の撮影装置１１と、編集装置１２が接した状態で設置されることによって構成される。撮影装置１１と編集装置１２は電気的に接続される。
【００１９】
撮影装置１１は、撮影部２１と背景部２２から構成される。撮影部２１と背景部２２は離して設置され、撮影部２１と背景部２２の間に設けられる空間が、利用者が撮影を行う撮影空間となる。
【００２０】
撮影部２１は、利用者を被写体とした撮影処理を行う装置である。撮影空間に臨む撮影部２１の正面にはカメラなどが設けられる。撮影部２１の、編集装置１２と接する面には正面パネル２１Ａが設けられる（図２）。撮影空間にいる利用者から見て左側の面を左側面、右側の面を右側面とすると、撮影部２１の左側面が側面パネル２１Ｂにより構成され、右側面が側面パネル２１Ｃ（図３）により構成される。
【００２１】
背景部２２は、正面を向いて撮影を行っている利用者の背面側に位置する板状の部材である背面パネル２２Ａ、背面パネル２２Ａの左端に取り付けられる板状の部材である側面パネル２２Ｂ、および、背面パネル２２Ａの右端に取り付けられる板状の部材である側面パネル２２Ｃ（図３）から構成される。
【００２２】
撮影部２１の左側面を構成する側面パネル２１Ｂと背景部２２の側面パネル２２Ｂは、所定の間隔をあけてほぼ同一平面に設けられる。側面パネル２１Ｂと側面パネル２２Ｂは、その上部において、天井部２３の左側面を形成する、横長の板状の部材である連結部２３Ｂによって連結され、下部において、床面に設けた例えば金属製の部材である連結部２４Ａによって連結される。撮影部２１の右側面を構成する側面パネル２１Ｃと背景部２２の側面パネル２２Ｃも同様に、ほぼ同一平面に設けられ、上部において、天井部２３の右側面を形成する連結部２３Ｃ（図１０）によって連結され、下部において、床面に設けた金属製の部材である連結部によって連結される。
【００２３】
撮影部２１の側面パネル２１Ｂ、背景部２２の側面パネル２２Ｂ、および天井部２３の連結部２３Ｂに囲まれることによって形成される開口が撮影空間の出入口となる。また、撮影部２１の側面パネル２１Ｃ、背景部２２の側面パネル２２Ｃ、および天井部２３の連結部２３Ｃに囲まれることによって形成される開口も撮影空間の出入口となる。撮影空間の内部には床材２５が設けられる。利用者は、撮影空間に入り、床材２５の上に立って撮影を行うことになる。
【００２４】
撮影空間の上方には、撮影空間の天井を形成する天井部２３が設けられる。天井部２３は、平板状の天井部材２３Ａ、連結部２３Ｂ，２３Ｃ、および背面部材２３Ｄから構成される。天井部材２３Ａには天井ストロボユニット３１が嵌め込まれる。天井ストロボユニット３１は、撮影に合わせて撮影空間内に向けて光を照射するストロボを内蔵する。天井ストロボユニット３１の内部には、ストロボの他に蛍光灯が設けられており、撮影空間の照明としても機能する。
【００２５】
側面パネル２１Ｂには、略扁平縦長直方体状の事前選択部３２が設けられる。事前選択部３２は、写真シール作成装置１が提供するゲームの紹介を行ったり、撮影前の各種の選択を利用者に行わせたりする。
【００２６】
編集装置１２は、一方の側面が撮影部２１の正面パネル２１Ａに接するように撮影装置１１に連結して設けられる。編集装置１２は、撮影画像の編集処理を行う装置である。編集装置１２には、編集時に利用者により用いられるタブレット内蔵モニタなどの構成が設けられる。
【００２７】
図２に示す編集装置１２の構成を正面側の構成とすると、２組の利用者が同時に編集を行うことができるように、編集装置１２の正面側と背面側には編集に用いられる構成がそれぞれ設けられる。
【００２８】
図２に示すように、編集装置１２の正面側は、床面に対して垂直な面であり、側面パネル２１Ｂとほぼ平行な垂直面である面１２Ａと、面１２Ａの上方に形成された斜面１２Ｂから構成される。斜面１２Ｂには、編集作業に用いられる構成が設けられる。
【００２９】
編集装置１２の側面１２Ｃの下方には、印刷済みのシール紙が排出されるシール紙排出口５１が設けられる。編集装置１２の側面１２Ｃの前方の空間が、印刷が終了するのを利用者が待つ印刷待ち空間となる。
【００３０】
編集装置１２の上面左端には、照明装置４３の一端を支持する柱状の支持部４１が設けられ、右端には、照明装置４３の他端を支持する柱状の支持部４２が設けられる。支持部４１の上面には、カーテンレール６１を支持する支持部４４が設けられる。
【００３１】
編集装置１２の上方にはカーテンレール６１が取り付けられる。カーテンレール６１は、３本のレール６１Ａ乃至６１Ｃを、上から見たときの形状がコの字状となるように組み合わせることによって構成される。平行に設けられるレール６１Ａとレール６１Ｂの一端は、天井部２３にそれぞれ固定され、他端にレール６１Ｃの両端が接合される。
【００３２】
カーテンレール６１には、編集装置１２の正面前方の空間と背面前方の空間の内部が外から見えないようにカーテンが取り付けられる。カーテンレール６１に取り付けられたカーテンにより囲まれる編集装置１２の正面前方の空間と背面前方の空間が、利用者が撮影画像の編集を行う編集空間となる。
【００３３】
ここで、写真シール作成ゲームの流れと、それに伴う利用者の移動について説明する。
【００３４】
図３は、写真シール作成装置１を上から見た平面図である。
【００３５】
事前選択部３２の前方の空間である事前選択空間Ａ０において代金を投入した利用者は、タッチパネルモニタに表示される画面に従って各種の選択を行う。例えば、撮影コースの選択や撮影画像の背景の選択が行われる。
【００３６】
事前選択部３２を用いた選択作業を終えた利用者は、白抜き矢印＃１で示すように出入口Ｇ１から撮影空間Ａ１に入り、撮影部２１に設けられたカメラやモニタなど利用して撮影を行う。
【００３７】
撮影を終えた利用者は、白抜き矢印＃２で示すように出入口Ｇ１を使って撮影空間Ａ１から出て編集空間Ａ２−１に移動するか、白抜き矢印＃３で示すように出入口Ｇ２を使って撮影空間Ａ１から出て編集空間Ａ２−２に移動する。
【００３８】
編集空間Ａ２−１は、編集装置１２の正面側の編集空間であり、編集空間Ａ２−２は、編集装置１２の背面側の編集空間である。編集空間Ａ２−１と編集空間Ａ２−２のいずれの空間に移動するのかが、撮影部２１のモニタの画面表示などによって案内される。例えば２つの編集空間のうちの空いている方の空間が移動先として案内される。
【００３９】
編集空間Ａ２−１または編集空間Ａ２−２に移動した利用者は、撮影画像の編集を開始する。編集空間Ａ２−１の利用者と、編集空間Ａ２−２の利用者は同時に編集を行うことができる。
【００４０】
編集が終了した後、編集画像の印刷が開始される。画像の印刷中、編集空間Ａ２−１での編集を終えた利用者は、白抜き矢印＃４で示すように編集空間Ａ２−１から印刷待ち空間Ａ３に移動し、印刷が終わるのを待つ。編集空間Ａ２−２での編集を終えた利用者も同様に、白抜き矢印＃５で示すように編集空間Ａ２−２から印刷待ち空間Ａ３に移動し、印刷が終わるのを待つ。
【００４１】
画像の印刷が終了したとき、利用者は、シール紙排出口５１からシール紙を受け取り、一連の写真シール作成ゲームを終えることになる。
【００４２】
＜事前選択部の構成＞
図４は、事前選択部３２の構成例を示す正面図である。
【００４３】
事前選択部３２の上方には垂直に近い急峻な斜面３２Ａが形成されており、斜面３２Ａにはタッチパネルモニタ７１が設けられる。タッチパネルモニタ７１は、LCD(Liquid Crystal Display)などのモニタと、それに積層されたタッチパネルにより構成される。タッチパネルモニタ７１には、コース選択や背景選択などの事前選択に用いられる画面が表示される。
【００４４】
斜面３２Ａの下の垂直面３２Ｂの上方には、事前選択の案内音声やBGM(Back Ground Music)などを出力するスピーカ７２と、利用者が硬貨を入れる硬貨投入口７３が設けられる。
【００４５】
＜撮影部の構成＞
図５は、撮影部２１の正面の構成例を示す斜視図である。
【００４６】
撮影部２１の外枠は、複数のキャスターが取り付けられたベース部２１Ｄに正面パネル２１Ａ、側面パネル２１Ｂ、および側面パネル２１Ｃが立設して構成される。図５には天井部２３の一部も示している。
【００４７】
正面パネル２１Ａの略中央には、縦長の支柱８２が突出して設けられる。支柱８２は、正面８２Ａ、側面８２Ｂ、および側面８２Ｃ（図６）の垂直面によって構成される。側面８２Ｂと側面８２Ｃは、上方視における断面が略台形状になるように後方に向けて広げて形成される。
【００４８】
正面８２Ａには、正面８２Ａの幅とほぼ同じ幅を有する略箱形状の撮影・表示ユニット８１が設けられる。正面８２Ａにストロボを設けるようにしてもよい。撮影・表示ユニット８１の正面には、上から順に、前下がりの斜面８１Ａ、垂直に対して僅かに前傾した斜面８１Ｂ、および、斜面８１Ａより急な斜面８１Ｃが形成される。
【００４９】
斜面８１Ｂの略中央には円形の開口部が形成され、開口部を縁取りするように、樹脂材などよりなるレンズカバー９１が突出して設けられる。レンズカバー９１の奥には、撮影空間Ａ１にいる利用者を撮影するカメラ１０１のレンズが設けられる。撮影・表示ユニット８１の内部には、例えば一眼レフカメラであるカメラ１０１がチルト可能に取り付けられている。レンズカバー９１にはガラスなどの透明部材が嵌め込まれている。
【００５０】
斜面８１Ｃには、上方の一部が斜面８１Ｂに突出する形で縦長長方形のモニタ９２が設けられる。カメラ１０１により取り込まれた動画などが、モニタ９２にリアルタイムで表示される。
【００５１】
内部にカメラ１０１を有するとともに、正面にモニタ９２が設けられた撮影・表示ユニット８１は、上下にスライド可能な形で支柱８２に取り付けられる。カメラ１０１とモニタ９２が撮影・表示ユニット８１に一体的に設けられることにより、上下にスライドした場合であってもライブビューなどの視認性を向上させることが可能になる。
【００５２】
利用者は、自身の全身が写る画像である全身画像と、顔部分を中心として、自身の略胸から上の範囲が大きく写る画像であるアップ画像を撮影することができる。
【００５３】
また、全身画像の種類として、上から全身画像と正面全身画像が用意される。上から全身画像は、被写体としての利用者を上から見下ろすようにして撮影することによって得られた静止画に基づいて生成された全身画像である。正面全身画像は、利用者を正面から撮影することによって得られた静止画に基づいて生成された全身画像である。すなわち、利用者は、アングル（撮影方向）が異なる全身画像を撮影することができる。
【００５４】
利用者は、アップ画像、上から全身画像、および正面全身画像のそれぞれの撮影回数を選択することが可能とされる。以下、適宜、アップ画像の生成に用いられる静止画の撮影をアップ撮影という。また、上から全身画像の生成に用いられる静止画の撮影を上から全身撮影といい、正面全身画像の生成に用いられる静止画の撮影を正面全身撮影という。
【００５５】
アップ撮影と上から全身撮影は、撮影・表示ユニット８１が上にある状態で行われ、正面全身撮影は、撮影・表示ユニット８１が下にある状態で行われる。アップ撮影、上から全身撮影、および正面全身撮影は、それぞれ、アングルと撮影範囲（画角）が異なる撮影である。
【００５６】
図６は、撮影・表示ユニット８１が下にある状態を示す図である。
【００５７】
撮影・表示ユニット８１が下にあるとき、支柱８２の正面８２Ａには、撮影・表示ユニット８１の上側に空間が形成される。このときのカメラ１０１の高さは略1250mmである。
【００５８】
図７は、撮影・表示ユニット８１が下にある状態のＢ−Ｂ線断面図である。
【００５９】
正面全身撮影は、図７に示すように撮影・表示ユニット８１が下にある状態で、水平方向を基準として、カメラ１０１のチルト角を０度として行われる。破線Ｌ０は、正面全身撮影時のカメラ１０１の光軸を表す。
【００６０】
図８は、撮影・表示ユニット８１が上にある状態を示す図である。
【００６１】
撮影・表示ユニット８１が上にあるとき、支柱８２の正面８２Ａには、撮影・表示ユニット８１の下側に空間が形成される。このときのカメラ１０１の高さは略1500mmである。
【００６２】
図９は、撮影・表示ユニット８１が上にある状態のＢ−Ｂ線断面図である。
【００６３】
アップ撮影は、図９に示すように撮影・表示ユニット８１が上にある状態で、水平方向を基準として、カメラ１０１の下向きのチルト角を１５度として行われる。一点鎖線Ｌ１は、アップ撮影時のカメラ１０１の光軸を表す。
【００６４】
また、上から全身撮影は、撮影・表示ユニット８１が上にある状態で、水平方向を基準として、カメラ１０１の下向きのチルト角を２６度として行われる。二点鎖線Ｌ２は、上から全身撮影時のカメラ１０１の光軸を表す。
【００６５】
図５の説明に戻り、支柱８２の下には、側面視略台形状の下ストロボ８３が設けられる。下ストロボ８３の正面側には、前下がりの大きな斜面８３Ａが形成され、その下に、垂直面８３Ｂが形成される。
【００６６】
斜面８３Ａと垂直面８３Ｂは、透光性を有する例えば乳白のアクリル板より形成され、内部の発光部からの光を面全体で拡散して利用者を照射する。支柱８２は、斜面８３Ａの上に取り付けられるのではなく、斜面８３Ａを貫通し、下ストロボ８３の内部で、ベース部２１Ｄ上に設けられた支持部材上に取り付けられる。図７、図９に色を付して示すように、支柱８２の側面８２Ｂは、斜面８３Ａを貫通して、下ストロボ８３の内部で固定される。
【００６７】
撮影・表示ユニット８１の上方には、発光面を利用者に向けた上ストロボ８４が設けられる。また、撮影・表示ユニット８１の左側には、左ストロボ８５が設けられ、右側には、右ストロボ８６が設けられる。上ストロボ８４、左ストロボ８５、および右ストロボ８６は、カメラ１０１による撮影に合わせて下ストロボ８３とともに発光することで、各方向から利用者を照射する。
【００６８】
＜背景部の構成＞
図１０は、撮影空間Ａ１内の背景部２２側の構成例を示す図である。
【００６９】
カメラ１０１側から背景部２２を見た場合、カメラ１０１の光軸方向に背面パネル２２Ａがある。背面パネル２２Ａの右端には側面パネル２２Ｂが設けられ、左端には側面パネル２２Ｃが設けられる。
【００７０】
背面パネル２２Ａの上には天井部２３の背面部材２３Ｄが設けられ、その手前（撮影部２１側）の天井部材２３Ａの位置には、撮影空間Ａ１内で撮影を行っている利用者を後方中央から照射する背面中央ストロボ１１１が取り付けられる。背面中央ストロボ１１１のより手前の位置には天井ストロボユニット３１（図示せず）が設けられることになる。
【００７１】
側面パネル２２Ｂの上方の連結部２３Ｂの位置には、背面パネル２２Ａの前に立って撮影を行っている利用者を斜め上から照射する背面ストロボ１１２が取り付けられ、側面パネル２２Ｃの上方の連結部２３Ｃの位置には背面ストロボ１１３が取り付けられる。
【００７２】
図１１は、図１０の右側に形成される出入口Ｇ１近傍の構成を示す図である。
【００７３】
図１１に示すように、連結部２３Ｂには、例えばビニル素材のカーテン１２１が出入口Ｇ１の下方の一部を除く部分を覆うように取り付けられる。利用者は、カーテン１２１をめくって撮影空間Ａ１に入る。
【００７４】
側面パネル２２Ｂは、所定の高さを境界として領域２２Ｂ−１と領域２２Ｂ−２に分けられる。側面パネル２２Ｂ全体の上方略１／３の領域である領域２２Ｂ−１の色は黒色であり、下方略２／３の領域である領域２２Ｂ−２の色は例えば鮮やかな緑色である。鮮やかな緑色は、カメラ１０１により撮影した画像から利用者の領域を抽出するクロマキー処理に用いられる色である。鮮やかな緑色に代えて、他の色で着色されるようにしてもよい。
【００７５】
側面パネル２２Ｂの領域２２Ｂ−１だけでなく、側面パネル２１Ｂ、天井部２３の連結部２３Ｂ、背面部材２３Ｄ、カーテン１２１も内側は黒色となる。一方、側面パネル２２Ｂの領域２２Ｂ−２だけでなく、背面パネル２２Ａ、床材２５は鮮やかな緑色となる。
【００７６】
図１２は、図１０の左側に形成される出入口Ｇ２近傍の構成を示す図である。
【００７７】
図１２に示すように、連結部２３Ｃには、出入口Ｇ１と同様に、ビニル素材のカーテン１２２が出入口Ｇ２の下方の一部を除く部分を覆うように取り付けられる。
【００７８】
側面パネル２２Ｃは、所定の高さを境界として領域２２Ｃ−１と領域２２Ｃ−２に分けられる。側面パネル２２Ｃ全体の上方略１／３の領域である領域２２Ｃ−１の色は黒色であり、下方略２／３の領域である領域２２Ｃ−２の色は例えば鮮やかな緑色である。
【００７９】
側面パネル２２Ｃの領域２２Ｃ−１だけでなく、側面パネル２１Ｃ、天井部２３の連結部２３Ｂ、カーテン１２２も内側は黒色となる。なお、この黒色であるが、黒色に準ずる色であればよい。つまり、階調を例えば0〜255で表現すると、125〜255までを黒色に準ずる色とする。
【００８０】
クロマキー処理によって利用者の領域を抽出する場合、鮮やかな緑色などの特殊な色の領域が、クロマキー処理の対象となる画像に写っている必要がある。クロマキー処理においては、特殊な色の領域以外の領域が、利用者の領域として抽出される。
【００８１】
一方、撮影空間Ａ１の内側全体をそのような特殊な色で着色した場合、撮影時に様々な方向からフラッシュ光を照射するようになされていることから、撮影空間Ａ１の内側で反射したフラッシュ光が利用者を照射することにより、撮影した画像において、特殊な色が利用者の領域の色に混ざり込むことがある。
【００８２】
従って、そのような混色を防ぐという観点からは、光を吸収する黒色の領域ができるだけ広い方が好ましい。
【００８３】
クロマキー処理の対象となる画像において、側面パネル２２Ｂ、側面パネル２２Ｃのうち、その撮影範囲に含まれない領域である領域２２Ｂ−１、２２Ｃ−１を黒色の領域としておくことにより、特に、利用者の顔部分に対する色の混ざり込みを防ぐことが可能になる。領域２２Ｂ−１と領域２２Ｂ−２の境界、領域２２Ｃ−１と領域２２Ｃ−２の境界は、一般的な身長の女性の首付近の高さに設定される。
【００８４】
上述したように、写真シール作成装置１においては、アップ撮影、上から全身撮影、および正面全身撮影の３種類の撮影があるが、領域２２Ｂ−１、２２Ｃ−１は、いずれの撮影によって撮影された画像にも写り込まない領域である。
【００８５】
また、顔に近い位置を黒色の領域とし、フラッシュ光の反射を防ぐことにより、顔の立体感が強調された画像を撮影することが可能になる。
【００８６】
領域２２Ｂ−１と領域２２Ｂ−２の境界、領域２２Ｃ−１と領域２２Ｃ−２の境界を利用者の身長に応じて可変としてもよい。この場合、黒色の領域は、巻き取り可能な黒色のカーテンの高さを調整することによって形成される。巻き取り可能なカーテンを収納する収納ボックスが、側面パネル２２Ｂ，２２Ｃの上に取り付けられることになる。この場合、制御部２０１は、例えば電動で巻き取り可能なカーテンの長さを制御する。
【００８７】
身長の測定は、例えば、カメラ１０１により撮影した画像を解析して肌色領域を抽出することによって行われたり、センサで検出したりすることによって行われる。利用者が複数人いる場合、最も背の低い利用者の身長に合わせて、その利用者の首付近の高さに黒色の領域と鮮やかな緑色の境界が設定される。これにより、利用者全員の画像に対する色の混ざり込みを防止することが可能になる。
【００８８】
領域２２Ｂ−１と領域２２Ｂ−２の境界、領域２２Ｃ−１と領域２２Ｃ−２の境界を、利用者の人数や後述する背景コース（KUROコースとIROコース）に応じて変えてもよい。
天井部材２３Ａの内側を黒色に着色するようにしてもよい。
【００８９】
＜編集ユニットの構成＞
図１３は、編集装置１２の正面側（編集空間Ａ２−１側）の構成例を示す図である。
【００９０】
斜面１２Ｂのほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００９１】
タブレット内蔵モニタ１３１は、タッチペン１３２Ａまたは１３２Ｂを用いて操作入力が可能なタブレットがLCDなどのモニタに重畳して設けられることによって構成される。
タブレット内蔵モニタ１３１には例えば編集画面が表示される。編集画面は、撮影画像の編集に用いられる画面である。２人で同時に編集を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００９２】
＜シール紙の例＞
図１４は、編集画像が印刷されたシール紙の例を示す図である。
【００９３】
シール紙１５１は、５枚の編集画像である編集画像１６１−１乃至１６１−５が横に並べて印刷されたシール紙である。
【００９４】
編集画像１６１−１乃至１６１−５のうち、編集画像１６１−１は、正面全身画像に対して編集が施されることによって生成された画像であり、編集画像１６１−２乃至１６１−４は、アップ画像に対して編集が施されることによって生成された画像である。編集画像１６１−５は、上から全身画像に対して編集が施されることによって生成された画像である。実際には、利用者の背景には、適宜、所定の色や模様の画像である背景画像が合成され、前景には、手書きの文字やスタンプ画像などの合成用画像が合成される。
【００９５】
アップ画像、上から全身画像、正面全身画像は、それぞれ縦横比が異なる画像である。
例えば、アップ画像、上から全身画像、正面全身画像のそれぞれの横と縦の比は、１：１．２，１：１．５，１：１．７７５である。前記数字は、例示であり、横比率を固定とした場合、縦比率が変更される数字とすればよい。
【００９６】
後に詳述するように、横と縦の比が異なる画像であっても横方向の長さは同じ長さになるように印刷される。横と縦の比の異なる画像が、横方向の長さを同じ長さとし、下辺を同じ高さに揃えて印刷されることから、それぞれの画像の上辺の位置（高さ）が、横と縦の比に応じて異なる位置になる。なお、横方向の長さが同じとは、厳密に同じ長さでなくてもよく、画像を見て、利用者が同じと判断できる程度であればよい。
【００９７】
上辺の位置にばらつきがある形で印刷されることにより、それぞれの画像の横と縦の比の違いを強調することが可能になる。
【００９８】
シール紙の縁の余白領域には、機種名、撮影日の他に、メールアドレスとIDが印刷される。余白領域に印刷されたメールアドレスとIDは、サーバに送信された編集画像を携帯電話機などの携帯端末で閲覧するときに利用される。
【００９９】
図１５は、編集画像のレイヤ構造の例を示す図である。
【０１００】
編集画像Ｐ１は、背景画像Ｐ１１、撮影画像Ｐ１２、前景画像Ｐ１３の各レイヤから構成される。図１５に示す画像の縦横比はアップ画像、上から全身画像、正面全身画像の縦横比とは異なるものである。
【０１０１】
図１５の背景画像Ｐ１１は、所定の色の地にハートや星などの模様が表された画像であり、前景画像Ｐ１３は、落書きによって入力された「Love my friend」の手書き文字を含む画像である。編集画像Ｐ１は、クロマキー処理によって抽出した撮影画像Ｐ１２の被写体の領域を背景画像Ｐ１１に重ね、その上に前景画像Ｐ１３を重ねることによって生成される。
【０１０２】
＜＜写真シール作成装置の内部構成＞＞
＜ハードウェア構成＞
図１６は、写真シール作成装置１の内部の構成例を示すブロック図である。上述した構成と同じ構成には同じ符号を付してある。重複する説明については適宜省略する。
【０１０３】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、事前選択部２０８、撮影部２０９、編集部２１０Ａ，２１０Ｂ、および印刷部２１１の各構成も接続される。
【０１０４】
記憶部２０２は、ハードディスクやフラッシュメモリなどの不揮発性の記憶媒体からなり、制御部２０１から供給された各種の設定情報などを記憶する。記憶部２０２に記憶されている情報は制御部２０１により適宜読み出される。
【０１０５】
通信部２０３は、インターネットなどのネットワークのインタフェースであり、制御部２０１による制御に従って外部の装置と通信を行う。通信部２０３は、例えば編集画像をサーバに送信する。通信部２０３から送信された画像は、サーバにおいて所定の記憶領域が割り当てられて保存され、サーバにアクセスしてきた携帯端末に表示されたり、ダウンロードされたりする。
【０１０６】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【０１０７】
ROM２０６には、制御部２０１において実行されるプログラムやデータが記憶される。RAM２０７は、制御部２０１が処理するデータやプログラムを一時的に記憶する。
【０１０８】
事前選択部２０８は、事前選択空間Ａ０にいる利用者を対象とした事前選択処理を行う。事前選択部２０８は、タッチパネルモニタ７１、スピーカ７２、および硬貨処理部２２１から構成される。
【０１０９】
タッチパネルモニタ７１は、制御部２０１による制御に従って各種の選択画面を表示し、選択画面に対する利用者の操作を受け付ける。利用者の操作の内容を表す入力信号は制御部２０１に供給され、各種の選択処理が行われる。
【０１１０】
硬貨処理部２２１は、硬貨投入口７３に対する硬貨の投入を検出する。硬貨処理部２２１は、例えば４００円などの所定の金額分の硬貨が投入されたことを検出した場合、そのことを表す起動信号を制御部２０１に出力する。
【０１１１】
撮影部２０９は、撮影空間Ａ１にいる利用者を対象とした撮影処理を行う。撮影部２０９は、駆動部２３１、照明装置２３２、カメラ１０１、モニタ９２、およびスピーカ２３３から構成される。
【０１１２】
駆動部２３１は、制御部２０１から供給される信号に従って、撮影・表示ユニット８１を上下にスライドさせる。また、駆動部２３１は、制御部２０１から供給される信号に従って、撮影・表示ユニット８１の内部に設けられたカメラ１０１のチルト角を調整する。
駆動部２３１は撮影・表示ユニット８１の内部や支柱８２の内部に設けられる。
【０１１３】
照明装置２３２は、撮影空間Ａ１内に設けられた各ストロボの発光を制御部２０１から供給される照明制御信号に従って制御する。
【０１１４】
カメラ１０１は、制御部２０１による制御に従って撮影を行い、撮影によって得られた画像（画像データ）を制御部２０１に出力する。
【０１１５】
編集部２１０Ａは、編集空間Ａ２−１にいる利用者を対象とした編集処理を行う。編集部２１０Ａは、タブレット内蔵モニタ１３１、タッチペン１３２Ａ，１３２Ｂ、およびスピーカ２４１から構成される。編集部２１０Ｂは、編集部２１０Ａと同一の構成を有しており、編集空間Ａ２−２にいる利用者を対象とした編集処理を行う。
【０１１６】
タブレット内蔵モニタ１３１は、制御部２０１による制御に従って編集画面を表示し、編集画面に対する利用者の操作を受け付ける。利用者の操作の内容を表す入力信号は制御部２０１に供給され、編集対象となる撮影画像の編集が行われる。
【０１１７】
印刷部２１１は、編集画像の印刷を行う。印刷部２１１は、プリンタ２５１から構成される。プリンタ２５１には、ロール状のシール紙２６１を含むシール紙ユニット２５２が装着される。
【０１１８】
プリンタ２５１は、制御部２０１から供給された印刷データに基づいて編集画像をシール紙２６１に印刷する。制御部２０１からプリンタ２５１に対しては、各画像が配置されたイメージデータが印刷データとして供給される。プリンタ２５１は、編集画像を印刷したシール紙２６１の部分を切り取り、シール紙排出口５１に排出する。
【０１１９】
＜制御部の構成＞
図１７は、図１６の制御部２０１の機能構成例を示すブロック図である。図１７に示す機能部のうちの少なくとも一部は、制御部２０１内のCPUにより所定のプログラムが実行されることによって実現される。
【０１２０】
制御部２０１においては、事前選択処理部３０１、撮影処理部３０２、編集処理部３０３、および印刷処理部３０４が実現される。
【０１２１】
事前選択処理部３０１は、事前選択部２０８の各部を制御し、事前選択処理を行う。撮影処理部３０２は、撮影部２０９の各部を制御し、撮影処理を行う。編集処理部３０３は、編集部２１０Ａ，２１０Ｂの各部を制御し、編集処理を行う。印刷処理部３０４は、印刷部２１１のプリンタ２５１を制御し、印刷処理を行う。
【０１２２】
図１８は、撮影処理部３０２の構成例を示すブロック図である。
【０１２３】
撮影処理部３０２は、撮影制御部３１１、駆動制御部３１２、生成部３１３、表示制御部３１４、および画像記憶部３１５から構成される。撮影制御部３１１と駆動制御部３１２に対しては、事前選択処理によって利用者により選択された内容を表す選択情報が供給される。選択情報には、アップ撮影、上から全身撮影、正面全身撮影のそれぞれ撮影回数を表す情報などが含まれる。
【０１２４】
撮影制御部３１１は、カメラ１０１を制御し、動画と静止画の撮影を行う。カメラ１０１により撮影された動画はライブビューの表示に用いられ、静止画は、撮影画像の生成に用いられる。撮影制御部３１１は、動画や静止画の撮影前、撮影画像の種類に応じてカメラ１０１のズームを制御し、撮影範囲の調整を行う。撮影制御部３１１は、撮影して得られた静止画を生成部３１３に出力する。
【０１２５】
駆動制御部３１２は、選択情報に基づいて駆動部２３１を制御し、撮影・表示ユニット８１の上下の位置とカメラ１０１のチルト角を制御する。
【０１２６】
例えば、駆動制御部３１２は、アップ撮影の前、撮影・表示ユニット８１を上に移動させ、カメラ１０１のチルト角を１５度に調整する。また、駆動制御部３１２は、上から全身撮影の前、撮影・表示ユニット８１を上に移動させ、カメラ１０１のチルト角を２６度に調整する。駆動制御部３１２は、正面全身撮影の前、撮影・表示ユニット８１を下に移動させ、カメラ１０１のチルト角を０度に調整する。
【０１２７】
生成部３１３は、撮影制御部３１１から供給された動画の各フレームから矩形領域をトリミングにより切り出し、切り出した画像からなる動画を表示制御部３１４に出力する。
表示制御部３１４に供給された動画はライブビューの表示に用いられる。
【０１２８】
また、生成部３１３は、撮影制御部３１１から供給された静止画から矩形領域をトリミングにより切り出し、切り出した画像を撮影画像として表示制御部３１４と画像記憶部３１５に出力する。
【０１２９】
表示制御部３１４は、モニタ９２に対する画面の表示を制御する。例えば、表示制御部３１４は、生成部３１３から供給された動画に基づいてライブビューを表示させ、表示制御部３１４から供給された撮影画像を撮影結果として表示させる。
【０１３０】
画像記憶部３１５は、生成部３１３から供給された撮影画像を記憶する。画像記憶部３１５に記憶された撮影画像は編集処理の開始後に編集処理部３０３により読み出される。
【０１３１】
図１９は、編集処理部３０３の構成例を示すブロック図である。
【０１３２】
編集処理部３０３は、編集部３２１、表示制御部３２２、および画像記憶部３２３により構成される。画像記憶部３１５から読み出された撮影画像は編集部３２１と表示制御部３２２に供給される。
【０１３３】
編集部３２１は、編集画面に対する利用者の操作を検出し、撮影画像に編集を施すことによって編集画像を生成する。編集部３２１は、生成した編集画像を表示制御部３２２に出力し、編集画面の表示に反映させる。編集処理が終了したとき、編集部３２１は、生成した編集画像を画像記憶部３２３に出力する。
【０１３４】
表示制御部３２２は、タブレット内蔵モニタ１３１に対する画面の表示を制御する。表示制御部３２２は、例えば、編集部３２１から供給された編集画像を編集画面に表示させる。シール紙２６１上における編集画像のレイアウトの選択画面である分割数選択画面なども表示制御部３２２によってタブレット内蔵モニタ１３１に表示される。
【０１３５】
画像記憶部３２３は、編集部３２１により生成された編集画像を記憶する。画像記憶部３２３に記憶された編集画像は、シール紙２６１への印刷時に印刷処理部３０４により読み出される。
【０１３６】
＜＜写真シール作成装置の動作＞＞
＜写真シール作成処理＞
次に、以上のような構成を有する写真シール作成装置１の動作について説明する。
【０１３７】
はじめに、図２０のフローチャートを参照して、シール作成ゲームを提供する写真シール作成装置１の一連の処理について説明する。図２０の処理は、所定の金額分の硬貨が事前選択部３２の硬貨投入口７３に投入されたときに開始される。
【０１３８】
ステップＳ１において、事前選択処理部３０１は、撮影前の各種の選択を行う処理である事前選択処理を行う。事前選択処理については、図２１のフローチャートを参照して後述する。
【０１３９】
ステップＳ２において、撮影処理部３０２は、事前選択処理での選択内容に従って撮影処理を行う。撮影処理においては、アップ撮影、上から全身撮影、正面全身撮影を適宜組み合わせて５回の撮影が行われ、その後、携帯送信専用画像の撮影が１回行われる。
【０１４０】
携帯送信専用画像は、例えば、シール紙に印刷して提供されるのではなく、携帯送信の機能によって利用者に提供され、SNS(Social Networking Service)のプロフィール紹介用の画像として用いられる画像である。撮影処理については図２７のフローチャートを参照して後述する。
【０１４１】
ステップＳ３において、編集処理部３０３は編集処理を行う。編集処理においては、撮影画像の編集が行われる。編集処理については図３７のフローチャートを参照して後述する。
【０１４２】
ステップＳ４において、印刷処理部３０４は、利用者により選択されたレイアウトに従って編集画像を配置することによって印刷データを生成する。印刷処理部３０４は、印刷データをプリンタ２５１に出力し、編集画像をシール紙に印刷させる。
【０１４３】
印刷が終了したとき、ステップＳ５において、編集画像が印刷されたシール紙がシール紙排出口５１に排出される。利用者は、シール紙をシール紙排出口５１から取り出して一連のゲームを終える。
【０１４４】
＜事前選択処理＞
次に、図２１のフローチャートを参照して、図２０のステップＳ１において行われる事前選択処理について説明する。
【０１４５】
ステップＳ１１において、事前選択処理部３０１は、人数コース選択画面を事前選択部３２のタッチパネルモニタ７１に表示させる。
【０１４６】
人数コース選択画面は、利用者の人数に応じたコースの選択に用いられる画面である。
例えば、２人で撮影を行う２人用コース、３人以上で撮影を行う大人数コース、１人で撮影を行う１人用コースの中からいずれかのコースを選択することが可能とされる。ここでは、利用者の人数が２人であり、２人用コースが選択されているものとする。
【０１４７】
人数コースが選択された場合、ステップＳ１２において、事前選択処理部３０１は、背景コース選択画面をタッチパネルモニタ７１に表示させる。
【０１４８】
背景コース選択画面は、撮影画像の背景として合成する背景画像のコースの選択に用いられる画面である。例えば、「KUROコース」と「IROコース」のうちのいずれかを選択することが可能とされる。「KUROコース」は、背景の色として彩度の低い黒や白を基調とした色を選択することが可能になるコースであり、「IROコース」は、彩度の高い原色を基調とした色を選択することが可能になるコースである。
【０１４９】
背景画像のコースが選択された場合、ステップＳ１３において、事前選択処理部３０１は、全身撮影枚数選択画面をタッチパネルモニタ７１に表示させる。全身撮影枚数選択画面は、全身画像の枚数の選択に用いられる画面である。
【０１５０】
図２２は、全身撮影枚数選択画面の例を示す図である。
【０１５１】
全身撮影枚数選択画面の上方には「全身撮影の枚数を選んでね」のメッセージが表示され、その下に、縦長長方形のボタン４０１−１乃至４０１−６が２行３列に並べて表示される。
【０１５２】
ボタン４０１−１は、全身画像を１枚撮影するときに選択されるボタンである。上述したように、携帯送信専用画像を除き、撮影画像の枚数は５枚としてあらかじめ決められている。全身画像を１枚撮影するということは、全身撮影を１回行い、アップ撮影を４回行うことになる。
【０１５３】
同様に、ボタン４０１−２乃至４０１−４は、それぞれ、全身画像を２枚乃至４枚撮影するときに選択されるボタンである。ボタン４０１−５は、全身画像を５枚撮影するときに選択されるボタンである。全身画像を５枚撮影するということは、全身撮影を５回行い、アップ撮影を行わないことになる。
【０１５４】
ボタン４０１−６は、正面全身画像を２枚撮影し、アップ画像を３枚撮影するときに選択されるボタンである。
【０１５５】
このように、利用者は、全身撮影とアップ撮影の回数の組み合わせを好みに応じて選択することができる。この例においては、少なくとも１回は全身撮影が行われることになる。
【０１５６】
全身画像の枚数が選択されたとき、ステップＳ１４において、事前選択処理部３０１は、全身撮影種類選択画面をタッチパネルモニタ７１に表示させる。種類選択画面は、上から全身画像と正面全身画像のそれぞれの撮影枚数の選択に用いられる画面である。
【０１５７】
図２３は、全身撮影種類選択画面の例を示す図である。
【０１５８】
全身撮影種類選択画面の上方には、上から全身撮影と正面全身撮影を組み合わせて撮影を行うことができることを案内するメッセージが表示され、その下に、ボタン４１１−１とボタン４１１−２が表示される。
【０１５９】
ボタン４１１−１は、正面全身撮影を選択するときに操作されるボタンである。ボタン４１１−１は、横と縦の比が１：１．７７５の縦長長方形の画像であり、２人のモデルの全身を正面から撮影した画像によって構成される。ボタン４１１−１は、正面全身画像のサンプル画像としても機能する。
【０１６０】
ボタン４１１−２は、上から全身撮影を選択するときに操作されるボタンである。ボタン４１１−２は、横と縦の比が１：１．５の縦長長方形の画像であり、２人のモデルの全身を斜め上から撮影した画像によって構成される。ボタン４１１−２は、上から全身画像のサンプル画像としても機能する。
【０１６１】
図２４は、図２３の画面に続けて表示される全身撮影種類選択画面の例を示す図である。
【０１６２】
図２３の画面が所定の時間だけ表示された後、タッチパネルモニタ７１の表示は、図２４の全身撮影種類選択画面を表示する状態に切り替わる。図２４の例においては、ボタン４１１−１とボタン４１１−２の表示はそのままに、メッセージが表示されていた画面上方の位置に、左から順に、サンプル画像４２１−１、サンプル画像４２１−２、枠画像４２１−３乃至４２１−５が並べて表示されている。枠画像４２１−５の右隣には、全身画像の種類の選択を終えるときに操作されるOKボタン４２２が表示されている。
【０１６３】
サンプル画像４２１−１とサンプル画像４２１−２は、横と縦の比が１：１．２の縦長長方形の画像である。サンプル画像４２１−１とサンプル画像４２１−２には２人のモデルの顔部分を中心とした範囲が大きく写っている。サンプル画像４２１−１とサンプル画像４２１−２は、アップ画像のサンプル画像である。
【０１６４】
図２４は、利用者が、全身画像の撮影枚数を３枚として選択した場合の例を示している。利用者は、３枚の全身画像の組み合わせとして、上から全身画像と正面全身画像をそれぞれ何枚ずつ撮影するのかを選択することになる。
【０１６５】
また、図２４の例においては、枠画像４２１−３にはカーソルＣが重ねて表示されている。図２４に示す状況は、３回目の撮影として、上から全身画像と正面全身画像のいずれの撮影を行うのかを利用者が選択する状況である。
【０１６６】
図２５は、図２４の画面に続けて表示される全身撮影種類選択画面の例を示す図である。
【０１６７】
図２４の状態においてボタン４１１−２が押された場合、図２５に示すように、枠画像４２１−３が表示されていた位置には、ボタン４１１−２を、横と縦の比をそのままに若干小さくしたサンプル画像４２３−１が表示される。
【０１６８】
このとき、カーソルＣは、枠画像４２１−４の上に移動する。図２５に示す状況は、３回目の全身撮影の種類の選択に続けて、４回目の全身撮影の種類として、上から全身撮影と正面全身撮影のいずれの撮影を行うのかを利用者が選択する状況である。
【０１６９】
このように、利用者は、ボタン４１１−１またはボタン４１１−２を操作することによって、自ら選択した全身画像の枚数の範囲内で、上から全身画像と正面全身画像の組み合わせを選択することになる。例えば、全身画像の枚数として２枚を選択した場合、上から全身画像を０枚と正面全身画像を２枚の組み合わせ、上から全身画像を１枚と正面全身画像を１枚の組み合わせ、上から全身画像を２枚と正面全身画像を０枚の組み合わせがある。いずれの場合も、アップ画像は３枚となる。
【０１７０】
図２６は、全身撮影種類選択画面の他の例を示す図である。
【０１７１】
図２５の状態からボタン４１１−１またはボタン４１１−２の選択を繰り返すことによって４回目と５回目の全身撮影の種類を選択した場合、図２６に示すように、枠画像４２１−４が表示されていた位置にはサンプル画像４２３−２が表示され、枠画像４２１−５が表示されていた位置にはサンプル画像４２３−３が表示される。
【０１７２】
サンプル画像４２３−２は、ボタン４１１−２を横と縦の比をそのままに若干小さくした画像であり、サンプル画像４２３−３は、ボタン４１１−１を横と縦の比をそのままに若干小さくした画像である。すなわち、図２６は、４回目の全身撮影の種類として上から全身撮影を選択し、５回目の全身撮影の種類として正面全身撮影を選択した場合の例を示している。
【０１７３】
この場合、事前選択処理終了後の撮影処理においては、１，２回目の撮影としてアップ撮影が行われ、３，４回目の撮影として上から全身撮影が行われ、５回目の撮影として正面全身撮影が行われることになる。
【０１７４】
アップ画像を表すサンプル画像４２１−１，４２１−２と、全身画像を表すサンプル画像４２３−１乃至４２３−３は、横方向の長さを同じ長さとし、下辺を同じ高さに揃えて表示されている。それぞれの画像の上辺の位置に差が表れることにより、それぞれの画像の横と縦の比の違いを強調することが可能になる。なお、上辺を同じ高さに揃えて、下辺の位置に差を表すことも可能である。
【０１７５】
このように、利用者は、全身画像の枚数を選択するだけでなく、上から全身画像と正面全身画像の組み合わせをも選択することができる。なお、２人用コースではなく、大人数コースが選択されている場合、ステップＳ１３，Ｓ１４の処理はスキップされる。
【０１７６】
上から全身画像と正面全身画像の組み合わせが選択された後、図２１のステップＳ１５において、事前選択処理部３０１は、背景選択画面をタッチパネルモニタ７１に表示させる。
【０１７７】
背景選択画面は、撮影画像の背景となる背景画像の選択に用いられる画面である。背景選択画面には、ステップＳ１２において選択された背景コースに対応した背景画像が複数枚表示され、利用者は、その中から好みの背景画像を選択することができる。
【０１７８】
ステップＳ１６において、事前選択処理部３０１は、BGM選択画面をタッチパネルモニタ７１に表示させる。BGM選択画面は、撮影時に流れるBGMの選択に用いられる画面である。
【０１７９】
ステップＳ１７において、事前選択処理部３０１は、事前選択空間Ａ０にいる利用者に対して、撮影空間Ａ１への移動を案内し、処理を終了させる。撮影空間Ａ１への移動の案内は、タッチパネルモニタ７１に案内画面を表示させることによって、または音声をスピーカ７２から出力させることによって行われる。
【０１８０】
以上の処理によって利用者により選択された人数コース、背景コース、全身画像の枚数、上から全身画像と正面全身画像の組み合わせ、各画像の撮影順、背景画像、およびBGMを表す選択情報は撮影処理部３０２に供給される。
【０１８１】
＜撮影処理＞
次に、図２７のフローチャートを参照して、図２０のステップＳ２において行われる撮影処理について説明する。
【０１８２】
ステップＳ３１において、撮影処理部３０２の駆動制御部３１２は、次の撮影がアップ撮影であるか否かを判定する。撮影画像の種類の判定は、事前選択処理部３０１から供給された選択情報に基づいて行われる。
【０１８３】
次の撮影がアップ撮影であるとステップＳ３１において判定した場合、ステップＳ３２において、駆動制御部３１２は、駆動部２３１を制御し、撮影・表示ユニット８１を上に移動させるとともに、カメラ１０１のチルト角を１５度に調整する。
【０１８４】
ステップＳ３３において、表示制御部３１４は、ライブビューをモニタ９２に表示させる。すなわち、撮影制御部３１１は、カメラ１０１を制御し、動画の撮影を開始する。生成部３１３は、撮影制御部３１１から供給された動画の各フレームから矩形領域の画像をトリミングにより切り出し、ライブビュー用の動画として表示制御部３１４に出力する。
【０１８５】
図２８は、アップ撮影時のトリミングの例を示す図である。
【０１８６】
図２８の画像Ｐ２１は、カメラ１０１により撮影された動画の１フレーム全体の画像である。画像Ｐ２１は縦長の画像であり、撮影空間Ａ１にいる２人の利用者の頭の上から腰のあたりまでが大きく写っている。２人の利用者の背景には背面パネル２２Ａが写っている。画像Ｐ２１においては、カメラ１０１に向かって右側に立つ利用者Ｈ１が左側に写り、左側に立つ利用者Ｈ２が右側に写る。
【０１８７】
枠Ｆ１で示す矩形領域がトリミングによって切り出される領域である。枠Ｆ１で示す矩形領域の横と縦の比は１：１．２である。枠Ｆ１で示す矩形領域は、各フレームにおいて固定とされる。
【０１８８】
このようにして動画の各フレームから切り出された、枠Ｆ１で示す矩形領域の画像からなる動画が表示制御部３１４に出力され、ライブビューの表示に用いられる。
【０１８９】
図２９は、アップ撮影時のライブビュー表示画面の例を示す図である。
【０１９０】
ライブビュー表示画面の中央上方には「撮影するよ」のメッセージが表示され、その下に設けられた矩形の領域であるライブビュー表示領域４５１には、生成部３１３から供給された動画が表示される。ライブビュー表示領域４５１に表示される動画においては、カメラ１０１に向かって右側に立つ利用者Ｈ１が右側に写り、左側に立つ利用者Ｈ２が左側に写る。カメラ１０１によって撮影された画像は、反転してモニタ９２に表示される。
【０１９１】
ライブビュー表示領域４５１の下には、ライブビュー表示領域４５１より小さい矩形の領域である撮影結果表示領域４５２−１乃至４５２−５が横に並べて配置される。
【０１９２】
撮影結果表示領域４５２−１乃至４５２−５には、撮影が行われる毎に、撮影によって得られた撮影画像が撮影順に表示される。図２９の例においてはまだ撮影が行われていないことから、撮影結果表示領域４５２−１乃至４５２−５には撮影画像が表示されていない。利用者は、このようなライブビュー表示画面を見て、自分の顔の位置を調整することができる。
【０１９３】
ライブビューが表示された状態で撮影のタイミングになったとき、ステップＳ３４において、撮影制御部３１１はアップ撮影を行う。
【０１９４】
生成部３１３においては、アップ撮影によって得られた静止画のうち、図２８を参照して説明した枠Ｆ１で示す矩形領域がトリミングにより切り出され、アップ画像が生成される。生成部３１３により生成されたアップ画像は、画像記憶部３１５に記憶されるとともに、表示制御部３１４に供給され、ライブビュー表示画面の撮影結果表示領域４５２−１乃至４５２−５のいずれかに縮小して表示される。利用者は、撮影結果を確認しながら、次の撮影の準備を行うことができる。
【０１９５】
ステップＳ３１において次の撮影がアップ撮影ではないと判定された場合、ステップＳ３２乃至Ｓ３４の処理はスキップされる。
【０１９６】
ステップＳ３５において、駆動制御部３１２は、次の撮影が上から全身撮影であるか否かを判定する。
【０１９７】
次の撮影が上から全身撮影であるとステップＳ３５において判定した場合、ステップＳ３６において、駆動制御部３１２は、駆動部２３１を制御し、撮影・表示ユニット８１を上に移動させるとともに、カメラ１０１のチルト角を２６度に調整する。また、駆動制御部３１２は、カメラ１０１のレンズの焦点距離を、アップ撮影時より短くなるように調整する。
【０１９８】
ステップＳ３７において、表示制御部３１４は、ライブビューをモニタ９２に表示させる。すなわち、撮影制御部３１１は、カメラ１０１を制御し、動画の撮影を開始する。生成部３１３は、撮影制御部３１１から供給された動画の各フレームから矩形領域の画像をトリミングにより切り出し、ライブビュー用の動画として表示制御部３１４に出力する。
【０１９９】
図３０は、上から全身撮影時のトリミングの例を示す図である。
【０２００】
図３０の画像Ｐ２２は、カメラ１０１により撮影された動画の１フレーム全体の画像である。画像Ｐ２２は縦長の画像であり、上から見下ろすように撮影した、撮影空間Ａ１にいる２人の利用者の全身が写っている。２人の利用者の後ろには背面パネル２２Ａが写り、足元には床材２５が大きく写っている。また、２人の利用者の横には、黒色の領域である領域２２Ｂ−１と領域２２Ｃ−１を含む形で、側面パネル２２Ｂと側面パネル２２Ｃが写っている。画像Ｐ２２においては、カメラ１０１に向かって右側に立つ利用者Ｈ１が左側に写り、左側に立つ利用者Ｈ２が右側に写る。
【０２０１】
枠Ｆ２で示す矩形領域がトリミングによって切り出される領域である。枠Ｆ２で示す矩形領域の横と縦の比は１：１．５である。枠Ｆ２で示す矩形領域は、各フレームにおいて固定とされる。
【０２０２】
枠Ｆ２で示す矩形領域には、側面パネル２２Ｂと側面パネル２２Ｃのうちの、黒色の領域である領域２２Ｂ−１と領域２２Ｃ−１は含まれない。このように、黒色の領域である領域２２Ｂ−１と領域２２Ｃ−１は、撮影された画像には写るものの、トリミング後の画像には含まれない位置に設定される。
【０２０３】
このようにして動画の各フレームから切り出された、枠Ｆ２で示す矩形領域の画像からなる動画が表示制御部３１４に出力され、ライブビューの表示に用いられる。
【０２０４】
図３１は、上から全身撮影時のライブビュー表示画面の例を示す図である。図２９の表示と重複する説明については適宜省略する。
【０２０５】
ライブビュー表示領域４５１には生成部３１３から供給された動画が表示される。上から全身撮影時のライブビュー表示領域４５１の横方向の長さは、アップ撮影時のライブビュー表示領域４５１の横方向の長さと同じ長さである。なお、横方向の長さが同じとは、厳密に同じ長さでなくてもよく、画像を見て、利用者が同じと判断できる程度であればよい。
【０２０６】
ライブビュー表示領域４５１に表示される動画においては、カメラ１０１に向かって右側に立つ利用者Ｈ１が右側に写り、左側に立つ利用者Ｈ２が左側に写る。カメラ１０１によって撮影された画像は、反転してモニタ９２に表示される。
【０２０７】
ライブビューが表示された状態で撮影のタイミングになったとき、ステップＳ３８において、撮影制御部３１１は上から全身撮影を行う。
【０２０８】
生成部３１３においては、上から全身撮影によって得られた静止画のうち、図３０を参照して説明した枠Ｆ２で示す矩形領域がトリミングにより切り出され、上から全身画像が生成される。生成部３１３により生成された上から全身画像は、画像記憶部３１５に記憶されるとともに、表示制御部３１４に供給され、ライブビュー表示画面の撮影結果表示領域４５２−１乃至４５２−５のいずれかに縮小して表示される。
【０２０９】
ステップＳ３５において次の撮影が上から全身撮影ではないと判定された場合、ステップＳ３６乃至Ｓ３８の処理はスキップされる。
【０２１０】
ステップＳ３９において、駆動制御部３１２は、次の撮影が正面全身撮影であるか否かを判定する。
【０２１１】
次の撮影が正面全身撮影であるとステップＳ３９において判定した場合、ステップＳ４０において、駆動制御部３１２は、駆動部２３１を制御し、撮影・表示ユニット８１を下に移動させるとともに、カメラ１０１のチルト角を０度に調整する。また、駆動制御部３１２は、カメラ１０１のレンズの焦点距離を、アップ撮影時より短くなるように調整する。
【０２１２】
ステップＳ４１において、表示制御部３１４は、ライブビューをモニタ９２に表示させる。すなわち、撮影制御部３１１は、カメラ１０１を制御し、動画の撮影を開始する。生成部３１３は、撮影制御部３１１から供給された動画の各フレームから矩形領域の画像をトリミングにより切り出し、ライブビュー用の動画として表示制御部３１４に出力する。
【０２１３】
図３２は、正面全身撮影時のトリミングの例を示す図である。
【０２１４】
図３２の画像Ｐ２３は、カメラ１０１により撮影された動画の１フレーム全体の画像である。画像Ｐ２３は縦長の画像であり、正面から撮影した、撮影空間Ａ１にいる２人の利用者の全身が写っている。
【０２１５】
２人の利用者の後ろには背面パネル２２Ａが写り、足元には床材２５が写っている。また、２人の利用者の横には、黒色の領域である領域２２Ｂ−１と領域２２Ｃ−１を含む形で、側面パネル２２Ｂと側面パネル２２Ｃが写っている。画像Ｐ２２においては、カメラ１０１に向かって右側に立つ利用者Ｈ１が左側に写り、左側に立つ利用者Ｈ２が右側に写る。２人の利用者の上には天井部材２３Ａも大きく写る。図３２においては、背面中央ストロボ１１１などの図示は省略している。
【０２１６】
枠Ｆ３で示す矩形領域がトリミングによって切り出される領域である。枠Ｆ３で示す矩形領域の横と縦の比は１：１．７７５である。枠Ｆ３で示す矩形領域は、各フレームにおいて固定とされる。枠Ｆ３で示す矩形領域にも、側面パネル２２Ｂと側面パネル２２Ｃのうちの、黒色の領域である領域２２Ｂ−１と領域２２Ｃ−１は含まれない。
【０２１７】
このようにして動画の各フレームから切り出された、枠Ｆ３で示す矩形領域の画像からなる動画が表示制御部３１４に出力され、ライブビューの表示に用いられる。
【０２１８】
図３３は、正面全身撮影時のライブビュー表示画面の例を示す図である。図２９、図３１の表示と重複する説明については適宜省略する。
【０２１９】
ライブビュー表示領域４５１には生成部３１３から供給された動画が表示される。正面全身撮影時のライブビュー表示領域４５１の横方向の長さは、アップ撮影時のライブビュー表示領域４５１の横方向の長さ、および、上から全身撮影時のライブビュー表示領域４５１の横方向の長さと同じ長さである。
【０２２０】
また、正面全身撮影時のライブビュー表示領域４５１の下辺の高さは、アップ撮影時のライブビュー表示領域４５１の下辺の高さ、および、上から全身撮影時のライブビュー表示領域４５１の下辺の高さと同じ高さである。下辺の高さを揃えるのではなく、上辺の高さを揃えてそれぞれのライブビューを表示するようにしてもよい。これにより、全身撮影時におけるライブビュー表示領域を大きく感じさせる事ができる。
【０２２１】
ライブビュー表示領域４５１に表示される動画においては、カメラ１０１に向かって右側に立つ利用者Ｈ１が右側に写り、左側に立つ利用者Ｈ２が左側に写る。カメラ１０１によって撮影された画像は、反転してモニタ９２に表示される。
【０２２２】
ライブビューが表示された状態で撮影のタイミングになったとき、ステップＳ４２において、撮影制御部３１１は正面全身撮影を行う。
【０２２３】
生成部３１３においては、正面全身撮影によって得られた静止画のうち、図３２を参照して説明した枠Ｆ３で示す矩形領域がトリミングにより切り出され、正面全身画像が生成される。生成部３１３により生成された正面全身画像は、画像記憶部３１５に記憶されるとともに、表示制御部３１４に供給され、ライブビュー表示画面の撮影結果表示領域４５２−１乃至４５２−５のいずれかに縮小して表示される。
【０２２４】
ステップＳ３９において次の撮影が正面全身撮影ではないと判定された場合、ステップＳ４０乃至Ｓ４２の処理はスキップされる。
【０２２５】
ステップＳ４３において、駆動制御部３１２は、撮影を５回行ったか否かを判定し、行っていないと判定した場合、ステップＳ３１に戻り、以上の処理を繰り返す。事前選択処理において利用者により選択された順番に従って撮影が繰り返される。
【０２２６】
図３４は、４回目の撮影としてアップ撮影が行われる場合のライブビュー表示画面の例を示す図である。
【０２２７】
図３４の例においては、１回目のアップ撮影の撮影結果が撮影結果表示領域４５２−１に表示され、２回目の上から全身撮影の撮影結果が撮影結果表示領域４５２−２に表示されている。また、３回目の正面全身撮影の撮影結果が撮影結果表示領域４５２−３に表示されている。ライブビュー表示領域４５１にはアップ撮影時のライブビューが表示されている。１回目のアップ撮影の撮影結果、２回目の上から全身撮影の撮影結果、３回目の正面全身撮影の撮影結果のそれぞれの横方向の長さは同じ長さであり、下辺を揃えて表示されている。
【０２２８】
一方、撮影を５回行ったとステップＳ４３において判定した場合、ステップＳ４４において、駆動制御部３１２は、駆動部２３１を制御し、撮影・表示ユニット８１の位置とカメラ１０１のチルト角を携帯送信専用画像用の設定に従って調整する。
【０２２９】
ステップＳ４５において、表示制御部３１４は、携帯送信専用画像撮影前のライブビューをモニタ９２に表示させる。撮影制御部３１１は、カメラ１０１を制御し、動画の撮影を開始する。生成部３１３は、撮影制御部３１１から供給された動画の各フレームから矩形領域の画像をトリミングにより切り出し、ライブビュー用の動画として表示制御部３１４に出力する。例えば、正方形（横と縦の比が１：１）の領域がトリミングにより切り出される。
【０２３０】
図３５は、携帯送信専用画像撮影時のライブビュー表示画面の例を示す図である。
【０２３１】
ライブビュー表示領域４５１には生成部３１３から供給された動画が表示される。携帯送信専用画像の撮影時のライブビュー表示領域４５１の横方向の長さは、アップ撮影時のライブビュー表示領域４５１の横方向の長さと同じ長さである。
【０２３２】
ライブビューが表示された状態で撮影のタイミングになったとき、ステップＳ４６において、撮影制御部３１１は携帯送信専用画像の撮影を行う。
【０２３３】
生成部３１３においては、撮影によって得られた静止画のうち、図３５に示すような正方形の領域がトリミングにより切り出され、加工が施されることによって携帯送信専用画像が生成される。加工は、例えば、画像を構成する全ての画素のRGB値をフィルタ処理によって変えることにより、構図はそのままに、画像全体の色味を変える処理である。加工は、他の画像を合成する編集とは異なる画像処理である。生成部３１３により生成された携帯送信専用画像は画像記憶部３１５に記憶される。
【０２３４】
携帯送信専用画像の撮影が終了した後、ステップＳ４７において、表示制御部３１４は、モニタ９２に案内画面を表示させ、撮影処理を終えた利用者に対して、編集空間Ａ２−１または編集空間Ａ２−２への移動を案内する。
【０２３５】
利用者は、撮影空間Ａ１から出て、案内された方の編集空間に移動して編集を行うことになる。その後、図２０のステップＳ２に戻り、それ以降の処理が行われる。
【０２３６】
以上のように、アップ撮影、上から全身撮影、正面全身撮影、携帯送信専用画像の撮影のそれぞれの撮影が行われる。それぞれの撮影の前、ライブビュー表示画面には、横方向の長さを同じ長さとしたライブビューが表示される。
【０２３７】
図３６は、各撮影時におけるライブビュー表示領域４５１の形状を較べて示す図である。
【０２３８】
枠Ｆ１１は、横と縦の比が１：１であり、携帯送信専用画像の撮影時に表示されるライブビュー表示領域４５１の形状を示す。枠Ｆ１２は、横と縦の比が１：１．２であり、アップ撮影時に表示されるライブビュー表示領域４５１の形状を示す。枠Ｆ１３は、横と縦の比が１：１．５であり、上から全身撮影時に表示されるライブビュー表示領域４５１の形状を示す。枠Ｆ１４は、横と縦の比が１：１．７７５であり、正面全身撮影時に表示されるライブビュー表示領域４５１の形状を示す。
【０２３９】
横方向の長さが同じ長さであるから、図３６に示すように、撮影画像の種類に応じてライブビューの縦方向の長さと、全体の大きさに差が生じることになる。アップ撮影、上から全身撮影、正面全身撮影のそれぞれの撮影結果も同様に縦方向の長さと全体の大きさに差がある形で表示される。
【０２４０】
これにより、利用者に対して、それぞれの撮影の種類に応じて得られる画像の縦横比の違いを強調することが可能になる。
【０２４１】
＜編集処理＞
次に、図３７のフローチャートを参照して、図２０のステップＳ３において行われる編集処理について説明する。
【０２４２】
ステップＳ６１において、編集処理部３０３の表示制御部３２２は、目・明るさ選択画面をタブレット内蔵モニタ１３１に表示させる。目・明るさ選択画面は、撮影画像に写る人物（利用者）の目の大きさおよび肌の明るさの選択に用いられる画面である。編集部３２１は、撮影処理部３０２の画像記憶部３１５から５枚の撮影画像と１枚の携帯送信専用画像を読み出し、目・明るさ選択画面に対する選択内容に応じて画像処理を行うことによって、目の大きさと肌の明るさを調整する。
【０２４３】
ステップＳ６２において、表示制御部３２２は、名前入力画面をタブレット内蔵モニタ１３１に表示させる。名前入力画面に入力された利用者の名前に応じて、編集時に利用可能な編集ツールが変化する。例えば、利用者の名前を手書き風の文字で表すスタンプ画像などが編集ツールとして用意される。
【０２４４】
編集部３２１は、撮影画像を対象としてクロマキー処理を行うことによって利用者の領域を抽出する。また、編集部３２１は、事前選択処理時に選択された背景画像を合成することによって撮影画像の背景を調整し、編集対象となる撮影画像を生成する。編集対象となる撮影画像は、撮影画像に写る利用者の目と顔の大きさ、肌の明るさ、および背景が調整された画像となる。
【０２４５】
ステップＳ６３において、表示制御部３２２は、編集画面をタブレット内蔵モニタ１３１に表示させる。
【０２４６】
図３８は、編集画面の例を示す図である。
【０２４７】
編集画面は、画面中央の縦方向に帯状に形成された領域５０１−１、領域５０１−２、領域５０１−３、領域５０１−４を挟んで、各構成が左右対称に設けられることによって構成される。なお、図３８の各領域を囲む破線は画面に実際に表示されるものではない。
【０２４８】
領域５０１−１には、編集処理の残り時間や、編集処理を終了するときに操作される終了ボタンが表示される。
【０２４９】
領域５０１−２には、入力した編集を取り消すときに用いられるツールである消しゴムツールの選択に用いられるボタンや、１つ前または１つ後の作業に戻るときに操作されるボタンが縦に並べて表示される。領域５０１−２の左側に縦に並べて表示されるボタン群５２２Ｌは領域５０２Ｌにおいて編集を行っている利用者により操作されるボタンからなり、右側に縦に並べて表示されるボタン群５２２Ｒは領域５０２Ｒにおいて編集を行っている利用者により操作されるボタンからなる。
【０２５０】
領域５０１−３には、編集時に係るBGMの設定に用いられるボタンが表示される。
【０２５１】
領域５０１−４には、編集ツールのカテゴリの選択に用いられるボタンが表示される。
【０２５２】
図３９は、領域５０１−４に表示されるボタンを拡大して示す図である。
【０２５３】
領域５０１−４には、横長長方形のボタン５３１−１乃至５３１−６が縦に並べて表示される。ボタン５３１−１は、「ファッション」カテゴリの編集ツールを選択するときに操作されるボタンであり、ボタン５３１−２は、「スタンプ」カテゴリの編集ツールを選択するときに操作されるボタンである。ボタン５３１−３は、「なまえと日付」カテゴリの編集ツールを選択するときに操作されるボタンであり、ボタン５３１−４は、「メッセージ」カテゴリの編集ツールを選択するときに操作されるボタンである。ボタン５３１−５は、「メイク」カテゴリの編集ツールを選択するときに操作されるボタンであり、ボタン５３１−６は、「ペン」カテゴリの編集ツールを選択するときに操作されるボタンである。
【０２５４】
各ボタンの左半分は領域５０２Ｌにおいて編集を行っている利用者により操作される部分であり、右半分は領域５０２Ｒにおいて編集を行っている利用者により操作される部分である。図３９の例においては、ボタン５３１−１が左右の利用者により選択されおり、矢の画像がボタン５３１−１を指すように表示されている。ボタン５３１−１乃至５３１−６が操作されることに応じて、編集用パレット表示領域５１５Ｌ，５１５Ｒの表示が切り替えられる。
【０２５５】
図３８の説明に戻り、編集画面の左側の領域である領域５０２Ｌは、タブレット内蔵モニタ１３１に向かって左側にいる利用者により用いられる領域である。
【０２５６】
領域５０２Ｌの左上のサムネイル画像表示領域５１１Ｌは、撮影画像と携帯送信専用画像を表すサムネイル画像の表示領域である。利用者は、サムネイル画像表示領域５１１Ｌに表示されているサムネイル画像を選択することによって、編集対象とする撮影画像を選択する。なお、携帯送信専用画像については編集を行うことができない。携帯送信専用画像のサムネイル画像が選択されたとき、領域５０２Ｌには携帯送信専用画像が拡大して表示される。
【０２５７】
図３８の例においては、５枚の撮影画像を表すサムネイル画像Ｐ５１乃至Ｐ５５と、１枚の携帯送信専用画像を表すサムネイル画像Ｐ５６が撮影順に並べて表示されている。サムネイル画像Ｐ５１はアップ画像のサムネイル画像であり、サムネイル画像Ｐ５２乃至Ｐ５４は正面全身画像のサムネイル画像である。サムネイル画像Ｐ５５は上から全身画像のサムネイル画像である。サムネイル画像Ｐ５１乃至Ｐ５５は、横方向の長さを同じ長さとし、下辺の位置を揃えて表示されている。
【０２５８】
サムネイル画像表示領域５１１Ｌの下に形成された編集領域５１２Ｌは、編集対象として選択された画像の表示領域である。編集領域５１２Ｌの横方向の長さは固定とされ、縦方向の長さが、編集対象として選択された画像の横と縦の比に応じて切り替わる。編集領域５１２Ｌの上辺の位置は固定となる。下辺の位置を固定として編集対象の画像が表示されるようにしてもよい。図３８の例においては、１枚目のサムネイル画像Ｐ５１が選択されることによって、編集対象のアップ画像が横と縦の比が１：１．２の編集領域５１２Ｌに表示されている。
【０２５９】
編集領域５１２Ｌの右側には、編集用パレット表示領域５１５Ｌが形成される。編集用パレット表示領域５１５Ｌは、スタンプ画像などの各種の編集ツールの選択に用いられる編集用パレットの表示領域である。編集用パレットに表示される編集ツールはカテゴリ毎に分かれており、タブ５４１−１乃至５４１−５を選択することによって、編集用パレットに表示させる編集ツールを切り替えることができるようになされている。タブ５４１−１乃至５４１−５には、それぞれ、編集ツールのカテゴリを表す文字が片仮名で縦に表示されている。英語で表示する場合に較べて読みやすい。
【０２６０】
領域５０１−４に表示されているボタンが押される毎に、タブ５４１−１乃至５４１−５全体の表示が切り替えられる。また、タブ５４１−１乃至５４１−５の表示が切り替えられることに応じて、編集用パレットに表示される編集ツールの表示が切り替えられる。
領域５０１−４に表示されているボタンが、編集ツールの上位のカテゴリの選択に用いられるボタンとなり、タブ５４１−１乃至５４１−５が、編集ツールの中位のカテゴリの選択に用いられるボタンとなる。
【０２６１】
利用者は、編集用パレットにサンプルが表示されるものの中から好みの編集ツールをタッチペン１３２Ａを用いて選択し、続けて、編集領域５１２Ｌに表示された画像上の位置を指定することにより、指定した位置に、手書きの文字やスタンプ画像などの合成用画像を合成させることができる。
【０２６２】
編集用パレット表示領域５１５Ｌの上には、一発落書きボタン５１３Ｌと携帯送信画像作成ボタン５１４Ｌが表示される。
【０２６３】
一発落書きボタン５１３Ｌは、一発落書き機能を使って編集を行うときに操作されるボタンである。一発落書き機能は、複数種類の編集ツールを組み合わせることによってあらかじめ設定された複数の編集を一括して編集対象の画像に合成する機能である。
【０２６４】
携帯送信画像作成ボタン５１４Ｌは、携帯送信の機能によって送信する画像を作成するときに操作されるボタンである。携帯送信画像は、撮影画像上の任意の範囲をトリミングによって切り出し、加工などを施して得られる画像である。利用者は、携帯送信専用画像とは別に、携帯送信の機能によって送信する画像を作成することができる。
【０２６５】
編集画面の右半分の領域である領域５０２Ｒは、タブレット内蔵モニタ１３１に向かって右側にいる利用者により用いられる領域である。領域５０２Ｒには、領域５０２Ｌの構成と同じ構成が位置を対称にして配置される。図３８の例においては、サムネイル画像表示領域５１１Ｒから３枚目のサムネイル画像Ｐ５３を選択することによって、正面全身画像が編集対象とされている。
【０２６６】
サムネイル画像Ｐ５３が選択されることによって、サムネイル画像表示領域５１１Ｒの下には、横と縦の比が１：１．７７５の編集領域５１２Ｒが形成される。編集領域５１２Ｒには、編集対象の正面全身画像が表示される。
【０２６７】
編集領域５１２Ｒに表示された正面全身画像の縦方向の長さは、編集用パレット表示領域５１５Ｒの縦方向の長さとほぼ同じ長さである。アップ画像を表示する編集領域５１２Ｌの下には余白が形成されているのに対して、編集領域５１２Ｒの下には余白がほぼ残っていない。
【０２６８】
図４０は、編集画面の他の例を示す図である。
【０２６９】
図４０の例においては、サムネイル画像表示領域５１１Ｌのサムネイル画像表示領域５１１Ｌからサムネイル画像Ｐ５５を選択することによって、５枚目の上から全身画像が編集対象とされている。
【０２７０】
サムネイル画像Ｐ５５が選択されることによって、サムネイル画像表示領域５１１Ｌの下には、横と縦の比が１：１．５の編集領域５１２Ｌが形成される。編集領域５１２Ｌには、編集対象として選択された上から全身画像が表示される。
【０２７１】
編集領域５１２Ｌに表示された上から全身画像の縦方向の長さは、アップ画像が選択されたときの長さより長くなる。編集領域５１２Ｌの下には余白が少し残ることになる。
【０２７２】
このように、編集画面においては、編集ツールの選択に用いられる編集用パレットは、編集対象の画像の下に表示されずに、編集対象の画像の横に、縦長で表示される。
【０２７３】
これにより、編集対象の画像の表示領域として縦方向に長い領域を確保することができ、横に対する縦の比が大きい正面全身画像を表示する場合であっても、正面全身画像を大きく表示することが可能になる。編集画面のスペースの有効利用を図ることができる。
【０２７４】
また、編集対象の画像を横と縦の比が異なる他の画像に切り替えた場合であっても、編集用パレットなどの配置は変わらないから、戸惑うことなく編集を続けることができる。
【０２７５】
編集対象としている撮影画像の縦横比に応じて、編集用パレットに表示される編集ツール（コンテンツ）が切り替わるようにしてもよい。これにより、縦横比に応じた編集ツールを用いて見栄えの良い編集を行うことが可能になる。
【０２７６】
図３７の説明に戻り、ステップＳ６４において、編集部３２１は、編集画面に対する利用者の操作に応じて撮影画像の編集を行う。
【０２７７】
携帯送信画像作成ボタン５１４Ｌ，５１４Ｒが押されたとき、ステップＳ６５において、表示制御部３２２は、携帯送信画像作成画面を表示する。
【０２７８】
図４１は、携帯送信画像作成画面の例を示す図である。
【０２７９】
例えば携帯送信画像作成ボタン５１４Ｌが操作されたとき、領域５０２Ｌには、サムネイル画像表示領域５１１Ｌと編集領域５１２Ｌに代えて、領域５５１、領域５５２、および領域５５３が縦に並べて表示される。
【０２８０】
領域５５１は、携帯送信画像の形状の選択に用いられる領域である。図４１の例においては、横長の長方形、正方形、２つの縦長の長方形の画像が表示され、４種類の中から携帯送信画像の形状を選択することができるようになされている。それぞれの形状を表す画像が、横方向の長さを同じ長さとして表示されるようにしてもよい。
【０２８１】
領域５５２は、携帯送信画像の作成に用いる撮影画像の選択に用いられる領域である。
領域５５２には、サムネイル画像Ｐ５１乃至Ｐ５５が表示される。
【０２８２】
領域５５３は、領域５５２から選択した撮影画像のうち、トリミングにより切り出す範囲の選択に用いられる領域である。図４１の例においては上から全身画像が領域５５３に表示されている。利用者は、上から全身画像のうち、領域５５１において選択した形状の範囲を指定することによって、携帯送信画像を作成することができる。
【０２８３】
編集は、あらかじめ設定された時間が経過するまで、または編集画面の終了ボタンが操作されるまで続けられる。
【０２８４】
例えば終了ボタンが操作されたことから編集が終わった場合、ステップＳ６６において、表示制御部３２２は、分割数選択画面をタブレット内蔵モニタ１３１に表示させる。分割数選択画面は、編集によって生成された編集画像をシール紙２６１に印刷するときのレイアウトの選択に用いられる画面である。
【０２８５】
図４２は、分割数選択画面の例を示す図である。
【０２８６】
分割数選択画面の中央には横長長方形の領域５７１が形成され、領域５７１の内側に、領域５７２Ｌと領域５７２Ｒが形成される。領域５７２Ｌは、タブレット内蔵モニタ１３１に向かって左側に立つ利用者が、自身が受け取るシール紙のレイアウトを選択することに用いられ、領域５７２Ｒは、タブレット内蔵モニタ１３１に向かって右側に立つ利用者が、自身が受け取るシール紙のレイアウトを選択することに用いられる。
【０２８７】
領域５７１の左上にはタブ５８１−１が表示され、その隣にタブ５８１−２，５８１−３が表示される。領域５７２Ｌ、領域５７２Ｒの表示が、タブ５８１−１乃至５８１−３が選択されることに応じて切り替えられる。図４２の例においては、おすすめのレイアウトを表示するタブ５８１−１が選択されている。
【０２８８】
領域５７２Ｌには、シール紙の縁の色を選択することを案内するメッセージが表示され、メッセージの下に、５枚の編集画像をおすすめのレイアウトで配置した横長のシール紙のイメージを表すサンプル画像５９１Ｌが表示されている。サンプル画像５９１Ｌは、例えば利用者に実際に提供されるシール紙の実寸大で表示される。
【０２８９】
サンプル画像５９１Ｌには、左から順に、３枚の上から全身画像と２枚の正面全身画像が配置されている。おすすめのレイアウトは、５枚の編集画像の種類の組み合わせに応じて決定される。
【０２９０】
サンプル画像５９１Ｌの下の領域５９２Ｌには、シール紙の縁の色または柄（装飾画像）を選択するときに操作される１６個の円形のボタンが２行８列に並べて表示される。それぞれのボタンには所定の色、所定の柄が付されており、ボタン自体が、シール紙の縁の色または柄のサンプルを表す。
【０２９１】
領域５９２Ｌに表示されるボタンの種類も、５枚の編集画像の種類の組み合わせに応じて切り替わる。５枚の編集画像の画像サイズの組み合わせに応じて、領域５９２Ｌに表示されるボタンの種類が切り替わるようにしてもよい。サンプル画像５９１Ｌの余白のデフォルトの色は、５枚の編集画像の種類の組み合わせに応じて決定される。KUROコースの場合は黒または白が決定され、IROコースの場合は所定の柄またはピンクが決定されるといったように、コースに応じた色が用いられるようにしてもよい。
【０２９２】
図４３は、５枚の撮影画像の種類の組み合わせと、シール紙の縁の色または柄との関係を示す図である。
【０２９３】
上述したように、利用者は、アップ撮影、上から全身撮影、正面全身撮影を組み合わせて利用することができる。少なくとも１回は全身撮影を行うようになされているから、５枚の撮影画像の種類の組み合わせは図４３に示すように２０通りになる。
【０２９４】
例えば、アップ撮影が０回、上から全身撮影が０回、正面全身撮影が５回の組み合わせで撮影が行われた場合、おすすめのレイアウトとしてレイアウトＬ１が選択される。この場合、選択可能なシール紙の縁の色または柄のセットとしてコンテンツＣ１が提示される。
【０２９５】
同様に、アップ撮影が０回、上から全身撮影が３回、正面全身撮影が２回の組み合わせで撮影が行われた場合、おすすめのレイアウトとしてレイアウトＬ４が選択される。この場合、選択可能なシール紙の縁の色または柄のセットとしてコンテンツＣ４の色と柄の組み合わせが提示される。
【０２９６】
他の組み合わせについても同様に、それぞれ、おすすめのレイアウトと、色と柄の組み合わせが対応付けてあらかじめ管理されている。撮影の種類の組み合わせと、レイアウト等が１対１で対応付けられるのではなく、１つの撮影の種類の組み合わせに対して、複数のレイアウト等が対応付けられるようにしてもよいし、複数の撮影の種類の組み合わせに対して、１つのレイアウト等が対応付けられるようにしてもよい。
【０２９７】
１枚のシール紙のサイズを固定とした場合、編集画像が印刷される領域以外の領域がシール紙の余白となり、その余白の面積が、撮影の種類の組み合わせに応じて変化する。例えば、アップ画像が多いために余白の面積が広い場合にはシンプルな色のセットが選択可能なセットとして表示され、正面全身画像が多いために余白の面積が狭い場合にはインパクトのある柄のセットが選択可能なセットとして表示される。つまり、撮影画角によって、表示される色が変更される。
【０２９８】
事前選択時に選択する背景画像、編集時に用いられる編集ツール（合成用画像）などがコンテンツに含まれ、撮影の種類の組み合わせと対応付けて管理されるようにしてもよい。例えば、正面全身画像の背景画像として奥行き感のある影を付けるような画像が用いられることにより、正面全身画像をより大きな画像として印象付けることが可能になる。
【０２９９】
利用者は、領域５９２Ｌに表示されるボタンを押したときに縁の色や柄が切り替わるサンプル画像５９１Ｌを見て、縁の色や柄を選択することができる。領域５９２Ｌの右側には、レイアウトとシール紙の縁の色または柄を決定するときに操作されるOKボタン５９３Ｌが表示される。
【０３００】
領域５９２Ｒにも、サンプル画像５９１Ｒが表示され、その下の領域５９２Ｒには、シール紙の縁の色または柄を選択するときに操作されるボタンが表示される。右側の利用者は、サンプル画像５９１Ｒを見て、縁の色や柄を選択することになる。
【０３０１】
タブ５８１−２とタブ５８１−３を操作したとき、領域５７２Ｌ，５７２Ｒには、レイアウトのサンプルを表す画像が複数表示される。なお、大人数コースが選択された場合、二人用のレイアウトを表示させるタブ５８１−２は表示されない。
【０３０２】
図３７の説明に戻り、分割数選択画面から所定のレイアウトが選択されたとき、ステップＳ６７において、編集処理部３０３は、通信部２０３を制御し、携帯送信専用画像と、編集時に作成された携帯送信画像とをサーバに送信する。利用者は、自身の携帯端末を操作してサーバにアクセスし、シール紙の縁に印刷されたIDを入力することにより、携帯送信専用画像や携帯送信画像を携帯端末に取り込むことができる。
【０３０３】
ステップＳ６８において、編集処理部３０３は、撮影画像の編集を終えた利用者に対して印刷待ち空間Ａ３への移動を案内する。印刷待ち空間Ａ３への移動の案内は、タブレット内蔵モニタ１３１に案内画面を表示させることによって、またはスピーカ２４１から音声を出力させることによって行われる。
【０３０４】
その後、図２０のステップＳ３に戻り、それ以降の処理が行われる。印刷が終了したとき、利用者は、編集画像が印刷されたシール紙を受け取って、写真シール作成装置１の利用を終えることになる。
【０３０５】
＜シール紙の例＞
図４４は、編集画像が印刷されたシール紙の他の例を示す図である。
【０３０６】
シール紙６２１には、編集画像６３１−１乃至６３１−５が下辺を揃えて横に並べて印刷されている。編集画像６３１−１は、アップ画像に対して編集が施されることによって生成された画像であり、編集画像６３１−２乃至６３１−４は、正面全身画像に対して編集が施されることによって生成された画像である。編集画像６３１−５は、上から全身画像に対して編集が施されることによって生成された画像である。編集画像６３１−１乃至６３１−５の横方向の長さは同じ長さである。なお、横方向の長さが同じとは、厳密に同じ長さでなくてもよく、画像を見て、利用者が同じと判断できる程度であればよい。
【０３０７】
シール紙６２１の左上には写真シール作成装置１の機種名、撮影日時が印刷され、右上にはIDが印刷される。
【０３０８】
図４５は、編集画像が印刷されたシール紙のさらに他の例を示す図である。
【０３０９】
シール紙６４１には、編集画像６５１−１乃至６５１−５が横に並べて印刷されている。編集画像６５１−１，６５１−２は、アップ画像に対して編集が施されることによって生成された画像であり、編集画像６５１−３，６５１−４は、上から全身画像に対して編集が施されることによって生成された画像である。編集画像６５１−５は、正面全身画像に対して編集が施されることによって生成された画像である。編集画像６５１−１乃至６５１−５の横方向の長さは同じ長さである。なお、横方向の長さが同じとは、厳密に同じ長さでなくてもよく、画像を見て、利用者が同じと判断できる程度であればよい。
【０３１０】
シール紙６２１の左上には写真シール作成装置１の機種名、撮影日時が印刷され、左上にはIDが印刷される。
【０３１１】
このように、余白に印刷される機種名、撮影日時等の文字の配置は、撮影画像の種類の組み合わせに応じて切り替わる。文字の色は、利用者により選択された余白の色に重ねたときに視認性のよい色として自動的に選択される。文字に影や縁取りを施したり、フォントや文字のサイズを変更したりすることも可能である。
【０３１２】
図４５に示すように、下辺を揃えないで編集画像を配置するレイアウトが用意されるようにしてもよい。また、下辺を揃えるのではなく、上辺を揃えて編集画像を配置するようにしてもよい。
【０３１３】
図１４のシール紙１５１、図４４のシール紙６２１、図４５のシール紙６４１における編集画像の並びの方向は、図４６に示すように、ロール状のシール紙２６１の幅方向に相当する。シール紙２６１の幅方向に編集画像を並べて印刷し、所定の長さで切り取ることによって図１４のシール紙１５１などが生成される。
【０３１４】
正面全身画像に対して編集が施されることによって生成された編集画像が多い場合にはシール紙の高さ（例えば図１４のシール紙１５１の縦方向の長さ）を高くするといったように、印刷する編集画像の種類に応じてシール紙２６１の切り取り位置を調整するようにしてもよい。
【０３１５】
以上においては、分割数選択画面において、選択可能な余白の色または柄として撮影の種類の組み合わせに応じたものが表示されるものとしたが、撮影の種類の組み合わせだけでなく、背景画像の色（RGBや色相）に応じた色や柄が表示されるようにしてもよい。また、写真シール作成装置１の設置場所（地域）、季節、年月日、人数、利用者の性別に応じた色や柄が表示されるようにしてもよい。
【０３１６】
また、色空間上で指定するなどして、利用者が余白の色を自由に作成することができるようにしてもよい。複数の色を作成する場合、一色のみを選択することに応じて、他の色については写真シール作成装置１により自動的に選択されるようにしてもよい。同様に、柄についても、好みの柄を作成することができるようにしてもよい。
【０３１７】
編集画像の印刷中、シール紙のイメージを表すサンプル画像をタブレット内蔵モニタ１３１に表示してもよい。利用者は、どのレイアウトを選択したのかを確認することができる。利用者が選択していないレイアウトで編集画像を配置したサンプル画像を印刷中に表示してもよい。サンプル画像に表示する編集画像を、利用者が選択していない画角で撮影された画像としてもよい。利用者が作成したものとは違う印象のサンプル画像を見せることにより、リピート率の向上につながる可能性がある。
【０３１８】
芸能人とコラボレーションしている場合、その芸能人がシール紙を渡すようなしぐさをしている動画をタブレット内蔵モニタ１３１に表示してもよい。芸能人のサインをシール紙に印刷して出力してもよい。
【０３１９】
＜カメラユニットの昇降機構とチルト機構＞
【０３２０】
図４７は、支柱８２の拡大図である。
【０３２１】
図４７においては、撮影・表示ユニット８１の図示を省略している。支柱８２の正面８２Ａは、撮影・表示ユニット８１の背面に対向する垂直面である。
【０３２２】
支柱８２の全体の高さの中央より若干上の正面８２Ａの両端には、縦方向の開口である溝部７０１Ｌ，７０１Ｒが形成されている。溝部７０１Ｌ，７０１Ｒからは、薄板上のアーム部７１１Ｌ，７１１Ｒがそれぞれ突出して設けられる。
【０３２３】
アーム部７１１Ｌ，７１１Ｒは撮影・表示ユニット８１を固定し、溝部７０１Ｌ，７０１Ｒに沿って上下にスライドする。溝部７０１Ｌ，７０１Ｒは、アーム部７１１Ｌ，７１１Ｒのスライドレールである。
【０３２４】
溝部７０１Ｌ，７０１Ｒの上端は、最も低い位置にあるときの撮影・表示ユニット８１の上面より低い位置にあり、溝部７０１Ｌ，７０１Ｒの下端は、最も高い位置にあるときの撮影・表示ユニット８１の底面より高い位置にある。すなわち、撮影・表示ユニット８１のスライド量は、溝部７０１Ｌ，７０１Ｒの長さ以下である。撮影・表示ユニット８１が上下にスライドする過程において、溝部７０１Ｌ，７０１Ｒは、撮影・表示ユニット８１の背面側に常時位置し、利用者から溝部７０１Ｌ，７０１Ｒが見えることはない。
【０３２５】
溝部７０１Ｌ，７０１Ｒが露出しないことによって、撮影・表示ユニット８１のスライド時に利用者が指などを挟んでしまうことを防ぐことが可能になる。また、見栄えもよくなる。
【０３２６】
溝部７０１Ｌの下端近傍には、小さな縦長長方形の開口７０２Ｌが形成されており、開口７０２Ｌには、正面８２Ａから外周が僅かに突出する形でローラーが設けられる。また、溝部７０１Ｒの下端近傍には、小さな縦長長方形の開口７０２Ｒが形成されており、開口７０２Ｒには、正面８２Ａから外周が僅かに突出する形でローラーが設けられる。
【０３２７】
２つのローラーの外周は撮影・表示ユニット８１の背面に接し、撮影・表示ユニット８１のスライドに伴って回転する。ローラーを設けることにより、撮影・表示ユニット８１のスライドをスムーズに行わせることが可能になる。
【０３２８】
正面８２Ａの下方には細幅の取り付け部材７０３−１が水平に設けられる。また、側面８２Ｂと側面８２Ｃには、細幅の取り付け部材７０３−２，７０３−３が、斜状に取り付けられる。取り付け部材７０３−１乃至７０３−３には、下ストロボ８３の斜面８３Ａを形成するアクリル板が取り付けられる。支柱８２の下端は、下ストロボ８３の表面より内側の位置にある。
【０３２９】
支柱８２の下端には、正面８２Ａと側面８２Ｃに跨る形で開口７０４が形成される。開口７０４の奥には、モーター７１２が設けられる。モーター７１２が、図１６の駆動部２３１を構成する。
【０３３０】
図４８、図４９は、支柱８２の内部の構成例を示す図である。
【０３３１】
モーター７１２が発生する駆動力は駆動側の小型のプーリー７２１に伝達され、プーリー７２１の外周に巻き掛けられたゴムベルト７２２を介して、プーリー７２１の上方に設けられた従動側のプーリー７２３を回転させる。プーリー７２３の軸には図示せぬ小型のプーリーが取り付けられており、その小型のプーリーに巻き掛けられたゴムベルト７２４によって、側面視略Ｌ字状の薄板よりなる固定部材７２５を昇降させる。ゴムベルト７２４は、ゴムベルト７２４に形成された溝が固定部材７２５の背面に付勢するように取り付けられる。固定部材７２５の上方には、ゴムベルト７２４の他端が巻き掛けられたプーリーを固定する固定部材７２６が設けられる。
【０３３２】
固定部材７２５の左端には板状の連結部材７２７Ｌが取り付けられ、連結部材７２７ＬにＴ字状のアーム部７１１Ｌが取り付けられる。同様に、固定部材７２５の右端には板状の連結部材７２７Ｒが取り付けられ、連結部材７２７ＲにＴ字状のアーム部７１１Ｒが取り付けられる。固定部材７２５が昇降することによって、アーム部７１１Ｌ，７１１Ｌが昇降する。
【０３３３】
アーム部７１１Ｌには、小型の円柱状の突起部７２８−１Ｌ，７２８−２Ｌが離間して設けられる。突起部７２８−１Ｌには、支柱８２の内側の突起部７２９−１Ｌに一方の端が架けられたばね７３０−１Ｌが架けられ、突起部７２８−２Ｌには、支柱８２の内側の突起部７２９−２Ｌに一方の端が架けられたばね７３０−２Ｌが架けられる。
【０３３４】
アーム部７１１Ｒにも同様に、小型の円柱状の突起部７２８−１Ｒ，７２８−２Ｒが離間して設けられる（図５０）。突起部７２８−１Ｒには、支柱８２の内側の突起部７２９−１Ｒに一方の端が架けられたばね７３０−１Ｒが架けられ、突起部７２８−２Ｒには、支柱８２の内側の突起部７２９−２Ｒに一方の端が架けられたばね７３０−２Ｒが架けられる。
【０３３５】
４本のばね７３０−１Ｌ，７３０−２Ｌ、７３０−１Ｒ，７３０−２Ｒは、撮影・表示ユニット８１の昇降に応じて伸縮し、撮影・表示ユニット８１の昇降に必要な力を軽減させる。
【０３３６】
図５０は、支柱８２の内部の構成例を背面から示す図である。
【０３３７】
図５０においては、支柱８２に撮影・表示ユニット８１が取り付けられている。撮影・表示ユニット８１が上にあるとき、撮影・表示ユニット８１の上面と、支柱８２の上面８２Ｄはほぼ同じ高さにある。また、撮影・表示ユニット８１の背面の幅は、支柱８２の正面８２Ａの幅とほぼ同一幅である。
【０３３８】
図５１は、撮影・表示ユニット８１と支柱８２の内部の構成を示すＡ−Ａ線（図６）断面図である。
【０３３９】
図５１Ａは、撮影・表示ユニット８１が下にある状態における内部の構成を示し、図５１Ｂは、撮影・表示ユニット８１が上にある状態における内部の構成を示す。
【０３４０】
撮影・表示ユニット８１の内部には、軸７３１Ａを中心に回動可能なカム７３１が設けられる。カム７３１は、カメラ１０１を固定するベース部１０１Ａに連結する２本の連結部材７４１（図５２）に挟持して取り付けられる。カム７３１の回動を制御するモーターが、図１６の駆動部２３１を構成する。
【０３４１】
カム７３１は、外周が略「し」の字状の薄板の部材であり、外周の若干内側に溝７３１Ｂが形成されている。連結部材７４１とカム７３１は、溝７３１Ｂを摺動するベアリングを介して接続される。カム７３１が回動し、ベアリングが溝７３１Ｂに沿って摺動することに応じて、カメラ１０１のベース部のチルト角が変化する。
【０３４２】
図５３は、カム７３１の回動の状態を示す図である。
【０３４３】
図５３の左側に示す状態は、撮影・表示ユニット８１が上にあり、チルト角が２６度になるようにカメラ１０１を前傾させたカム７３１の状態を示す。この状態において、上から全身撮影が行われる。
【０３４４】
図５３の中央に示す状態は、撮影・表示ユニット８１が上にあり、チルト角が１５度になるようにカメラ１０１を前傾させたカム７３１の状態を示す。この状態において、アップ撮影が行われる。
【０３４５】
図５３の右側に示す状態は、撮影・表示ユニット８１が下にあり、チルト角が０度になるようにカメラ１０１を駆動させたカム７３１の状態を示す。この状態において、正面全身撮影が行われる。
【０３４６】
＜編集対象画像の切り替えについて＞
撮影画像の編集時、利用者は、サムネイル画像表示領域５１１Ｌ，５１１Ｒ（図３８）に表示されたサムネイル画像を選択することによって編集対象とする撮影画像を切り替えることができる。
【０３４７】
切り替え時、編集対象とする撮影画像の切り替えが発生したことを表す画像である遷移画像を編集領域５１２Ｌ，５１２Ｒに表示させるようにすることが可能である。
【０３４８】
例えば、サムネイル画像Ｐ５１乃至Ｐ５６の中からサムネイル画像Ｐ５２が選択され、サムネイル画像Ｐ５２に対応する正面全身画像が編集領域５１２Ｒに表示されている図３８の状態において、サムネイル画像Ｐ５３がサムネイル画像表示領域５１１Ｒから新たに選択された場合、サムネイル画像Ｐ５３に対応する撮影画像の編集が可能となる前、編集領域５１２Ｒには遷移画像が表示される。
【０３４９】
後述するように、遷移画像は、キャプチャされた編集画面内の編集対象画像部分を抽出して生成した切り取り画像を、利用者によって選択された編集対象画像の上に重畳することで構成される。例えば切り取り画像には透明度が設定されるが、透明度は、切り替え前の撮影画像がフェードアウトするように徐々に高くなる。
【０３５０】
切り替え前の撮影画像がフェードアウトし、それに伴って、新たに選択した撮影画像が徐々に現れるような表示を編集対象の切り替え時に行うことにより、瞬間的に切り替わる場合に較べて、編集対象の切り替えが生じたことを利用者により強く印象付けることが可能になる。
【０３５１】
上述したように、撮影画像の編集は例えば２人の利用者が並んで行うものであるが、一方の利用者が編集対象の撮影画像を切り替えたことを、他方の利用者がより気づきやすくなる。また、見た目に美しい切り替えを実現することが可能になる。
【０３５２】
・編集処理部３０３の構成例
図５４は、以上のような切り替え時の表示を行う編集処理部３０３の構成例を示すブロック図である。
【０３５３】
図５４に示す構成のうち、図１９を参照して説明した構成と同じ構成には同じ符号を付してある。図５４に示す編集処理部３０３の構成は、読み出し部８１１と編集用メモリ８１２が追加して設けられている点を除いて、図１９の構成と同じである。編集部３２１と表示制御部３２２に対しては、編集対象となる撮影画像のデータが読み出し部８１１と編集用メモリ８１２を介して供給されることになる。
【０３５４】
編集部３２１は、編集用メモリ８１２を用いて、編集対象として選択された撮影画像や携帯送信専用画像の編集を行う。編集用メモリ８１２には、編集対象の画像である編集対象画像が記憶される。また、編集部３２１は、編集対象画像が切り替えられたとき、編集を施した画像を編集用メモリ８１２から読み出し、画像記憶部３１５に出力して記憶させる。
【０３５５】
表示制御部３２２は、編集画面テンプレート生成部８２１、合成部８２２、編集画面用ビデオメモリ８２３、出力部８２４、および切り取り部８２５から構成される。タブレット内蔵モニタ１３１に対する利用者の操作の内容を表す操作情報は、編集部３２１、読み出し部８１１、編集画面テンプレート生成部８２１、および切り取り部８２５に供給される。
【０３５６】
読み出し部８１１は、撮影処理部３０２の画像記憶部３１５に記憶されている５枚の撮影画像と１枚の携帯送信専用画像のうち、編集対象とする画像を読み出す。２人の利用者が同時に編集を行うようになされている場合、２枚の画像が画像記憶部３１５から読み出される。例えば、読み出し部８１１は、編集処理の開始時、１枚目の撮影画像を読み出し、サムネイル画像が選択される毎に、対応する撮影画像または携帯送信専用画像を読み出す。読み出し部８１１は、編集対象画像のデータを編集用メモリ８１２に順次出力し、記憶させる。
【０３５７】
また、読み出し部８１１は、編集処理の終了時、編集部３２１により編集が適宜施された編集済みの撮影画像を画像記憶部３１５から読み出し、編集画像として画像記憶部３２３に記憶させる。携帯送信専用画像についても編集が適宜施され、画像記憶部３２３に記憶される。
【０３５８】
編集処理部３０３内にバッファメモリが用意されており、読み出し部８１１によるデータの読み出しがそのバッファメモリから行われるようにしてもよい。この場合、撮影処理部３０２の画像記憶部３１５に記憶されている画像は、編集処理の開始時にバッファメモリに転送される。
【０３５９】
編集用メモリ８１２は、編集対象画像の編集に編集部３２１により用いられるメモリである。編集中の編集対象画像は合成部８２２に供給され、編集画面の表示に用いられる。
【０３６０】
表示制御部３２２の編集画面テンプレート生成部８２１は、編集処理の開始時、撮影処理の終了時、編集対象画像の選択時等の所定の時間において、撮影画像と携帯送信専用画像を画像記憶部３１５から読み出し、それぞれの画像のサムネイル画像を生成する。また、編集画面テンプレート生成部８２１は、サムネイル画像や各種のボタンを含む、編集領域５１２Ｌ，５１２Ｒを除く領域の編集画面のデータを生成する。また、編集画面テンプレート生成部８２１は、利用者の操作に応じて、編集画面のボタンの表示などを変化させる。編集画面テンプレート生成部８２１は、生成した編集画面のデータを合成部８２２に出力する。
【０３６１】
合成部８２２は、編集画面テンプレート生成部８２１から供給された編集画面の編集領域５１２Ｌ，５１２Ｒの部分に編集用メモリ８１２に記憶されている編集対象画像を合成し、編集画面全体のデータを編集画面用ビデオメモリ８２３に記憶させる。
【０３６２】
また、合成部８２２は、切り取り部８２５から切り取り画像が供給された場合、切り取り画像に所定の透明度を設定する。合成部８２２は、透明度を設定した切り取り画像を、利用者により新たに選択され、編集用メモリ８１２に記憶された切り替え後の編集対象画像に重畳することによって遷移画像を生成する。切り取り画像は、編集対象画像の切り替えが指示されたときに切り取り部８２５から供給される。
【０３６３】
編集画面用ビデオメモリ８２３は、編集画面をタブレット内蔵モニタ１３１に表示するためのビデオメモリである。編集画面用ビデオメモリ８２３には編集画面全体のデータが記憶される。
【０３６４】
出力部８２４は、編集画面用ビデオメモリ８２３に記憶されたデータに基づいて、編集画面をタブレット内蔵モニタ１３１に表示させる。
【０３６５】
切り取り部８２５は、編集対象画像の切り替えが指示された場合、そのタイミングにおける編集画面をキャプチャする。切り取り部８２５は、編集画面用ビデオメモリ８２３に記憶されているデータを読み出し、編集画面を静止画像として取得することになる。
【０３６６】
また、切り取り部８２５は、キャプチャした編集画面全体のうち、切り替え前の編集対象画像が表示された領域（編集領域５１２Ｌまたは編集領域５１２Ｒ）を含む領域を切り取る。編集が施されている場合、編集中の編集対象画像の状態を表す静止画像が切り取られる。
【０３６７】
図５５は、キャプチャした編集画面の例を示す図である。
【０３６８】
例えば、サムネイル画像Ｐ５２に対応する正面全身画像が編集領域５１２Ｒに表示されている状態において、サムネイル画像Ｐ５３がサムネイル画像表示領域５１１Ｒから新たに選択された場合、切り取り部８２５は、そのタイミングにおける、図５５に示す状態の編集画面の静止画像をキャプチャにより取得する。
【０３６９】
図５５の例においては、サムネイル画像表示領域５１１Ｒのカーソルの位置がサムネイル画像Ｐ５３に切り替えられている。また、サムネイル画像Ｐ５３が画像記憶部３１５からまだ読み出されていないから、切り替え前の編集対象画像である、サムネイル画像Ｐ５２に対応する正面全身画像が編集領域５１２Ｒに表示されている。
【０３７０】
この場合、切り取り部８２５は、図５５に斜線を付して示す、サムネイル画像Ｐ５２に対応する正面全身画像の領域（編集領域５１２Ｒ）を編集画面全体から切り取り、切り取り画像として合成部８２２に出力する。
【０３７１】
合成部８２２においては、切り取り画像に対して所定の透明度が設定される。また、透明度を設定した切り取り画像を、編集用メモリ８１２に記憶された、サムネイル画像Ｐ５３に対応する正面全身画像に重畳することによって遷移画像が生成される。
【０３７２】
合成部８２２においては、遷移画像を編集領域５１２Ｒに表示させた後、フェードアウトするように切り取り画像の透明度が制御される。切り取り画像の透明度が最大になったとき、編集領域５１２Ｒにはサムネイル画像Ｐ５３に対応する正面全身画像、すなわち、切り替え後の編集対象画像のみが表示され、編集可能な状態になる。
【０３７３】
図５６は、遷移画像の例を示す図である。
【０３７４】
ここでは、適宜、切り替え前の編集対象画像を画像Ａといい、切り替え後の編集対象画像を画像Ｂという。上述した例の場合、サムネイル画像Ｐ５２に対応する撮影画像（正面全身画像）が画像Ａとなり、サムネイル画像Ｐ５３に対応する撮影画像（正面全身画像）が画像Ｂとなる。
【０３７５】
図５６の左側に示す画像Ｐ１０１は、キャプチャした編集画面から切り取った切り取り画像である。画像Ｐ１０１は、画像Ａと同じ画像になる。画像Ａに対して編集が施されている場合、その編集の内容も画像Ｐ１０１に含まれる。
【０３７６】
画像Ｂの読み出しが完了し、編集用メモリ８１２に記憶されたとき、矢印＃１１の先に示すように、画像Ｐ１０１に対して透明度が設定され、画像Ｂとしての画像Ｐ１０２に重畳することによって遷移画像が生成される。図５６において、画像Ｐ１０１に色を付していることは、画像Ｐ１０１に所定の透明度が設定されていることを表す。
【０３７７】
遷移画像は、図５７に示すように編集領域５１２Ｒに表示される。画像Ｐ１０１には透明度が設定されているから、図５７に示すように、下のレイヤに配置された画像Ｐ１０２は、画像Ｐ１０１の透明度に応じた濃さで透けて見えるように表示される。
【０３７８】
画像Ｐ１０１の透明度は、例えば徐々に高くなるように制御される。この場合、画像Ｐ１０２は、画像Ｐ１０１のフェードアウトに伴って、徐々に濃く見えるように表示されることになる。
【０３７９】
画像Ｐ１０１の透明度が最大になった場合、画像Ｐ１０１が消え、遷移画像の表示は終了となる。編集領域５１２Ｒには、図５６の矢印＃１２の先に示すように画像Ｐ１０２のみが表示される。その後、画像Ｐ１０２の編集が可能になる。
【０３８０】
編集対象画像の切り替えを表す遷移画像はこのようにして生成され、表示される。なお、遷移画像の表示は、１秒より短い時間といったように、比較的短い時間だけ行われる。
従来、瞬間的に切り替わっていたが、本発明であれば、短い時間であっても、スムーズに画面が切り替えられる。
【０３８１】
図５８は、遷移画像の他の例を示す図である。
【０３８２】
図５８は、サムネイル画像表示領域５１１Ｌからサムネイル画像Ｐ５１が選択され、サムネイル画像Ｐ５１に対応する１枚目の撮影画像（アップ画像）が編集領域５１２Ｌに表示されている場合において、サムネイル画像Ｐ５５が選択され、サムネイル画像Ｐ５５に対応する５枚目の撮影画像（上から全身画像）が編集対象として新たに選択されたときの遷移画像の例を示している。
【０３８３】
サムネイル画像Ｐ５１に対応する１枚目のアップ画像が画像Ａとなり、サムネイル画像Ｐ５５に対応する５枚目の上から全身画像が画像Ｂとなる。
【０３８４】
図５８の左側に示す画像Ｐ１１１は、キャプチャした編集画面から切り取ることによって得られた切り取り画像である。画像Ｐ１１１は、画像Ａと同じ画像になる。
【０３８５】
画像Ｂの読み出しが完了し、編集用メモリ８１２に記憶されたとき、矢印＃２１の先に示すように、画像Ｐ１１１に対して透明度が設定され、画像Ｂとしての画像Ｐ１１２に重畳することによって遷移画像が生成される。画像Ｐ１１１に色を付していることは、画像Ｐ１１１に所定の透明度が設定されていることを表す。
【０３８６】
遷移画像は編集領域５１２Ｌに表示される。画像Ｐ１１１には透明度が設定されているから、下に配置された画像Ｐ１１２は、画像Ｐ１１１の透明度に応じた濃さで透けて見えるように表示される。画像Ｐ１１２は、画像Ｐ１１１のフェードアウトに伴って、徐々に濃く見えるように表示される。画像Ｐ１１１と画像Ｐ１１２はサイズが異なる。例えば小さい方の画像である画像Ｐ１１１に対しては、画像Ｐ１１２との差分となる領域に黒色画像が補完され、画像Ｐ１１１と併せて黒色画像がフェードアウトするようにしてもよい。
【０３８７】
画像Ｐ１１１の透明度が最大になった場合、画像Ｐ１１１が消え、遷移画像の表示は終了となる。編集領域５１２Ｌには、図５８の矢印＃２２の先に示すように画像Ｐ１１２のみが表示される。その後、画像Ｐ１１２の編集が可能になる。
【０３８８】
このように、遷移画像は、サイズの異なる画像から生成されることもある。編集対象画像のサイズが複数種類ある場合、切り出し画像は、例えば、最も大きいサイズの編集対象画像と同じサイズの領域を、キャプチャした編集画面から切り取ることによって取得される。上述した例においては、正面全身画像と同じサイズの領域が切り取られる。
【０３８９】
・編集処理部３０３の動作
ここで、図５９のフローチャートを参照して、編集画面を表示する編集処理部３０３の処理について説明する。図５９の処理は、図３７のステップＳ６３の処理として行われる。
【０３９０】
ステップＳ８１において、表示制御部３２２の編集画面テンプレート生成部８２１は、撮影画像と携帯送信専用画像を画像記憶部３１５から読み出し、それぞれの画像のサムネイル画像を生成する。
【０３９１】
ステップＳ８２において、編集画面テンプレート生成部８２１は、サムネイル画像や各種のボタンを含む、編集領域５１２Ｌ，５１２Ｒを除く領域の編集画面のデータを生成する。
【０３９２】
ステップＳ８３において、読み出し部８１１は、１枚目の撮影画像を編集対象画像として画像記憶部３１５から読み出す。
【０３９３】
ステップＳ８４において、読み出し部８１１は、読み出した編集対象画像を編集用メモリ８１２に記憶させる。
【０３９４】
ステップＳ８５において、合成部８２２は、編集画面テンプレート生成部８２１により生成された編集画面の編集領域５１２Ｌ，５１２Ｒの部分に編集用メモリ８１２に記憶された編集対象画像を合成する。
【０３９５】
ステップＳ８６において、合成部８２２は、編集対象画像を合成した編集画面全体のデータを編集画面用ビデオメモリ８２３に記憶させる。
【０３９６】
ステップＳ８７において、出力部８２４は、編集画面用ビデオメモリ８２３に記憶されたデータに基づいて、編集画面を表示させる。その後、編集対象画像の編集が利用者により行われる。
【０３９７】
次に、図６０のフローチャートを参照して、編集対象画像の表示を切り替える編集処理部３０３の処理について説明する。
【０３９８】
図６０の処理は、例えば、選択中のサムネイル画像とは異なるサムネイル画像が新たに選択されたときに開始される。
【０３９９】
ステップＳ１０１において、切り取り部８２５は、編集対象画像の切り替えが指示されたタイミングにおける編集画面をキャプチャし、切り替え前の編集対象画像が表示された領域を含む領域を切り取る。切り取り部８２５は、切り取り画像を合成部８２２に出力する。
【０４００】
ステップＳ１０２において、読み出し部８１１は、新たに選択されたサムネイル画像に対応する撮影画像または携帯送信専用画像の読み出しを開始する。読み出し部８１１は、画像記憶部３１５から読み出した編集対象画像のデータを編集用メモリ８１２に出力し、記憶させる。
【０４０１】
ステップＳ１０３において、合成部８２２は、切り替え後の編集対象画像の読み出しが完了したか否かを判定し、完了したと判定するまで待機する。
【０４０２】
編集対象画像の読み出しが完了したとステップＳ１０３において判定した場合、ステップＳ１０４において、合成部８２２は、所定の透明度を設定した切り取り画像を、編集用メモリ８１２に記憶された切り替え後の編集対象画像に重畳することによって遷移画像を生成する。
【０４０３】
ステップＳ１０５において、合成部８２２は、編集画面の編集領域に遷移画像を合成し、タブレット内蔵モニタ１３１に表示させる。
【０４０４】
ステップＳ１０６において、合成部８２２は、透明度を徐々に高くすることによって、切り替え前の編集対象画像を表す切り取り画像をフェードアウトさせる。その後、切り替え後の編集対象画像の編集が可能になる。
【０４０５】
以上の一連の処理により、編集対象画像の切り替えが生じたことを利用者に印象付けることができる。
【０４０６】
・変形例
以上においては、キャプチャした編集画面のうち、切り替え前の編集対象画像が表示されている編集領域の部分を切り取ることによって切り取り画像を生成するものとしたが、切り取りの対象となる領域は任意である。
【０４０７】
図６１は、切り取りの対象となる領域の例を示す図である。
【０４０８】
一点鎖線Ｌ１１で囲んで示すように、切り替え前の編集対象画像が表示されている編集領域８１２Ｌと、編集用パレット表示領域５１５Ｌを含む領域を切り取ることによって切り取り画像を生成するようにすることも可能である。
【０４０９】
また、一点鎖線Ｌ１２で囲んで示すように、領域５０２Ｒ全体を切り取ることによって切り取り画像を生成するようにすることも可能である。
【０４１０】
図６２は、遷移画像の例を示す図である。
【０４１１】
図６２の左側に示す画像Ｐ１２１は、キャプチャした編集画面から、図６１の一点鎖線Ｌ１２で囲んで示す領域５０２Ｒ全体を切り取ることによって得られた切り取り画像である。
【０４１２】
切り替え後の編集対象画像の読み出しが完了し、編集用メモリ８１２に記憶されたとき、矢印＃３１の先に示すように、画像Ｐ１２１に対して透明度が設定され、切り替え後の編集対象画像を含む領域５０２Ｒの画像Ｐ１２２に重畳することによって遷移画像が生成される。画像Ｐ１２１に色を付していることは、画像Ｐ１２１に所定の透明度が設定されていることを表す。
【０４１３】
画像Ｐ１２１には透明度が設定されているから、下に配置された画像Ｐ１２２は、画像Ｐ１２１の透明度に応じた濃さで透けて見えるように表示される。
【０４１４】
画像Ｐ１２１の透明度が最大になった場合、画像Ｐ１２１が消え、遷移画像の表示は終了となる。領域５０２Ｒには、図６２の矢印＃３２の先に示すように、切り替え後の編集対象画像を含む画像Ｐ１２２が表示される。
【０４１５】
このように、切り取りの対象となる領域は、切り替え前の編集対象画像を含む領域であればどの領域であってもよい。切り取りの対象となる領域を編集対象画像の大きさ等に関係なく設定可能であるため、編集対象画像の切り替え時の上述した表示を他の装置にも適用することができる。また、フェードイン／フェードアウトする切り取り画像に人の画像（撮影画像）が含まれる必要がなく、人の画像以外の特定の画像（ボタンなど、形状がふわっと変化するなどの画像）に使用することも可能である。
【０４１６】
図６３は、切り取りの対象となる領域の例を示す図である。
【０４１７】
図６３Ａに示す画像Ｐ１３１と図６３Ｂに示す画像Ｐ１３２は、編集対象画像として用いられる画像である。画像Ｐ１３１と画像Ｐ１３２は正方形の画像であり、その一部の領域に、２人の人物が写る撮影画像が合成されている。
【０４１８】
画像Ｐ１３１を切り替え前の編集対象画像とし、切り替え後の編集対象画像にも、一点鎖線Ｌ２１で囲んで示す同じ領域に撮影画像が含まれる場合、一点鎖線Ｌ２１で囲んで示す領域を切り取り、遷移画像の生成に用いることが可能である。
【０４１９】
同様に、画像Ｐ１３２を切り替え前の編集対象画像とし、切り替え後の編集対象画像にも、一点鎖線Ｌ２２で囲んで示す同じ円形の領域に撮影画像が含まれる場合、一点鎖線Ｌ２２で囲んで示す領域を切り取り、遷移画像の生成に用いることが可能である。
【０４２０】
このように、切り取りの対象となる領域を編集対象画像の一部の領域とすることも可能である。また、切り取りの対象となる領域の形状も任意である。一部の領域のみを遷移画像の表示に用いることにより、処理負担を軽減することが可能になる。
【０４２１】
遷移画像を用いた表示は、編集対象画像の切り替え時だけでなく、他の画像の切り替え時に適用することが可能である。
【０４２２】
図６４は、編集画面の例を示す図である。
【０４２３】
図６４の例においては、携帯送信画像作成ボタン５１４Ｌが操作されることによって、携帯送信画像作成画面が領域５０２Ｌに表示されている。携帯送信画像作成画面の構成は、領域５５３の右隣にいわゆるスマートフォンの外観を表す画像８３１が表示され、その下に決定ボタン８３２が表示されている点を除いて、図４１を参照して説明した構成と同じである。
【０４２４】
利用者は、領域５５１の表示を用いてトリミング枠Ｆ２１の形状を選択し、領域５５２の表示を用いて、トリミングに用いる撮影画像を選択することになる。
【０４２５】
領域５５３には撮影画像が表示される。利用者は、トリミングにより切り出す範囲を領域５５３上のトリミング枠Ｆ２１を移動させて設定することができる。領域５５３に表示された撮影画像全体のうち、トリミング枠Ｆ２１の範囲が、画像８３１の領域８３１Ｌ内に表示される。
【０４２６】
このような構成を有する携帯送信画像作成画面において、領域５５３に表示させる撮影画像の切り替えが指示される毎に、上述したような遷移画像を生成し、領域５５３に表示させることが可能である。遷移画像は、例えば、透明度を設定した切り替え前の撮影画像を、切り替え後の撮影画像に重畳することによって生成され、領域５５３に表示される。
【０４２７】
トリミング枠Ｆ２１の範囲が画像８３１の領域８３１Ｌ内に表示されるから、遷移画像が領域５５３に表示されている間、領域８３１Ｌには、遷移画像の一部が表示されることになる。
【０４２８】
このように、携帯送信画像の作成に用いる撮影画像の切り替え時に遷移画像を表示させることも可能である。図６４の携帯送信画像作成画面を閉じることが指示された場合、領域５０２Ｌの表示は、ポップアップ表示されていた携帯送信画像作成画面が消え、元の編集画面（図６１の領域５０２Ｌと同様の画面）に戻ることになるが、このポップアップが消える際に遷移画像を用いてフェードアウトするようにしてもよい。
【０４２９】
画像の切り替えが生じる他のタイミングに遷移画像を表示させることも可能である。例えば、図４２を参照して説明した分割数選択画面において、選択中のレイアウトや背景を示す画像の切り替え時に遷移画像を表示させるようにしてもよい。
【０４３０】
また、撮影の仕方を説明するガイダンス動画像から実際のライブビューに切り替わる撮影時のタイミングで遷移画像を表示させるようにしてもよい。ガイダンス動画像は、例えばモデルの人物が写っている動画像であり、利用者が写るライブビューの表示前に、ライブビュー表示領域４５１に表示される。
【０４３１】
編集時などにおいて、フレーム画像を被写体の前景として撮影画像に合成することができるようになされている場合、フレーム画像を重ねた撮影画像と、フレーム画像を重ねていない撮影画像の表示の切り替え時に遷移画像を表示させるようにすることも可能である。フレーム画像を重ねていない撮影画像からフレーム画像を重ねた撮影画像への切り替え時、フレーム画像を重ねた撮影画像をフェードインし、段階的に濃く見えるように表示させるようにしてもよい。これにより、利用者は、自身が選択したフレーム画像を重ねた撮影画像の見え方を、フレーム画像を重ねていない撮影画像と比較して確認することができる。
【０４３２】
以上においては、透明度を設定した切り取り画像の表示が、切り替え後の編集対象画像の読み出しが完了した後に行われるものとしたが、切り替え後の編集対象画像の読み出し中に行われるようにしてもよい。
【０４３３】
図６５は、切り取り画像の表示の例を示す図である。
【０４３４】
図６５の左側に示す画像Ｐ１０１は、キャプチャした編集画面から切り取った切り取り画像である。画像Ｐ１０１は、矢印＃１１の先に示すように、切り替え後の編集対象画像である画像Ｐ１０２の読み出し中に、画像Ｐ１０２に重畳して編集領域に表示される。
【０４３５】
画像Ｐ１０２は、読み出し部８１１により読み出され、編集用メモリ８１２に記憶された一部のデータに基づいて表示可能な、例えば解像度が低い画像である。
【０４３６】
画像Ｐ１０２の全てのデータが編集用メモリ８１２に記憶されたとき、矢印＃１２の先に示すように、フェードアウトすることによって画像Ｐ１０１が消える。編集領域には、解像度の高い画像Ｐ１０２が、編集用メモリ８１２に記憶された画像Ｐ１０２の全てのデータに基づいて表示される。
【０４３７】
このように、透明度を設定した切り取り画像を、切り替え後の編集対象画像の読み出し中に切り取り元の領域に表示させるようにすることも可能である。
【０４３８】
また、以上においては、上のレイヤに重畳される切り替え前の編集対象画像がフェードアウトするものとしたが、下のレイヤに配置される切り替え後の編集対象画像がフェードインして徐々に濃く見えるように表示されるようにしてもよい。
【０４３９】
切り替え前の編集対象画像をフェードアウトさせるとともに、切り替え後の編集対象画像がフェードインさせるようにしてもよい。フェードアウト／フェードイン以外の視覚効果を、切り替え前の編集対象画像と切り替え後の編集対象画像のうちの少なくともいずれかに与えることも可能である。
【０４４０】
本技術の実施の形態は、上述した実施の形態に限定されるものではなく、本技術の要旨を逸脱しない範囲において種々の変更が可能である。
【符号の説明】
【０４４１】
１  写真シール作成装置、  ３０１  事前選択処理部，  ３０２  撮影処理部，  ３０３  編集処理部、  ３０４  印刷処理部、  ３１１  撮影制御部、  ３１２  駆動制御部、  ３１３  生成部、  ３１４  表示制御部、  ３１５  画像記憶部、  ３２１  編集部、  ３２２  表示制御部、  ３２３  画像記憶部
【図１】
0005896259.tif 000002
【図２】
0005896259.tif 000003
【図３】
0005896259.tif 000004
【図４】
0005896259.tif 000005
【図５】
0005896259.tif 000006
【図６】
0005896259.tif 000007
【図７】
0005896259.tif 000008
【図８】
0005896259.tif 000009
【図９】
0005896259.tif 000010
【図１０】
0005896259.tif 000011
【図１１】
0005896259.tif 000012
【図１２】
0005896259.tif 000013
【図１３】
0005896259.tif 000014
【図１４】
0005896259.tif 000015
【図１５】
0005896259.tif 000016
【図１６】
0005896259.tif 000017
【図１７】
0005896259.tif 000018
【図１８】
0005896259.tif 000019
【図１９】
0005896259.tif 000020
【図２０】
0005896259.tif 000021
【図２１】
0005896259.tif 000022
【図２２】
0005896259.tif 000023
【図２３】
0005896259.tif 000024
【図２４】
0005896259.tif 000025
【図２５】
0005896259.tif 000026
【図２６】
0005896259.tif 000027
【図２７】
0005896259.tif 000028
【図２８】
0005896259.tif 000029
【図２９】
0005896259.tif 000030
【図３０】
0005896259.tif 000031
【図３１】
0005896259.tif 000032
【図３２】
0005896259.tif 000033
【図３３】
0005896259.tif 000034
【図３４】
0005896259.tif 000035
【図３５】
0005896259.tif 000036
【図３６】
0005896259.tif 000037
【図３７】
0005896259.tif 000038
【図３８】
0005896259.tif 000039
【図３９】
0005896259.tif 000040
【図４０】
0005896259.tif 000041
【図４１】
0005896259.tif 000042
【図４２】
0005896259.tif 000043
【図４３】
0005896259.tif 000044
【図４４】
0005896259.tif 000045
【図４５】
0005896259.tif 000046
【図４６】
0005896259.tif 000047
【図４７】
0005896259.tif 000048
【図４８】
0005896259.tif 000049
【図４９】
0005896259.tif 000050
【図５０】
0005896259.tif 000051
【図５１】
0005896259.tif 000052
【図５２】
0005896259.tif 000053
【図５３】
0005896259.tif 000054
【図５４】
0005896259.tif 000055
【図５５】
0005896259.tif 000056
【図５６】
0005896259.tif 000057
【図５７】
0005896259.tif 000058
【図５８】
0005896259.tif 000059
【図５９】
0005896259.tif 000060
【図６０】
0005896259.tif 000061
【図６１】
0005896259.tif 000062
【図６２】
0005896259.tif 000063
【図６３】
0005896259.tif 000064
【図６４】
0005896259.tif 000065
【図６５】
0005896259.tif 000066